(57)【特許請求の範囲】
【請求項１】
ユーザ機器（ＵＥ）によるワイヤレス通信のための方法であって、
前記ＵＥに対する多地点協調（ＣｏＭＰ）動作に参加する基地局のセットのための異なる基準信号（ＲＳ）構成を示すシグナリングを受信することと、ここにおいて、各構成は、基準信号を送信するために前記基地局のうちの１つまたは複数による使用のためにリソースを識別し、前記ＲＳ構成のうちの１つまたは複数は、サブフレーム内においてＣＳＩ−ＲＳおよびページング機会が一致するかどうかの動的決定を許可するページングに関連する構成パラメータを備え、前記ページング機会は、準共通ロケーションの目的のために、前記ＲＳ構成内において指定される非ゼロ電力（ＮＺＰ）チャネル状態情報（ＣＳＩ）−ＲＳ構成および／または前記ＲＳ構成内において指定されるゼロ電力（ＺＰ）ＣＳＩ−ＲＳ構成に適用される、
前記サブフレーム内においてダウンリンク送信を受信することと、
前記ページングに関連する構成パラメータを含む前記受信されたＲＳ構成のうちの１つまたは複数に基づいて前記ダウンリンク送信のためのレートマッチングを遂行することと
を備える、方法。
【請求項２】
前記シグナリングは、ＲＳを送信するために使用される１つまたは複数のアンテナポートの数を示す、請求項１に記載の方法。
【請求項３】
前記シグナリングは、サービング基地局のためのアンテナポートの数のみを示す、請求項２に記載の方法。
【請求項４】
前記基地局のうちの少なくとも１つによって使用される前記アンテナポートの実際の数は、前記サービング基地局のための前記アンテナポートの数とは異なる、請求項３に記載の方法。
【請求項５】
前記基地局のセットは、同じサブフレームインデックスで同期され、期間内において、サブフレームの第１のサブセットは、同じサブフレームタイプのものである、請求項１に記載の方法。
【請求項６】
前記第１のサブセット内に存在せず、前記ダウンリンク送信が受信されるサブフレームのサブフレームタイプを示すシグナリングを受信することと、
前記示されるサブフレームタイプに基づいて選択されるＲＳ構成に基づいて前記レートマッチングを遂行することと
をさらに備える、請求項５に記載の方法。
【請求項７】
前記サブフレームの第１のセットは、マルチキャストブロードキャスト単一周波数ネットワーク（ＭＢＳＦＮ）サブフレーム以外のタイプのサブフレームを備える、請求項６に記載の方法。
【請求項８】
前記シグナリングは、１つまたは複数の周波数シフト値のインジケーションを備える、請求項１に記載の方法。
【請求項９】
可能な周波数シフト値の数は、アンテナポートの対応する数に依存する、請求項８に記載の方法。
【請求項１０】
前記基地局のうちの少なくとも１つは、限定された数のサブフレーム内において新しいキャリアタイプでＲＳを送信し、基地局が新しいキャリアタイプを使用して送信するか否かのインジケーションを受信することをさらに備え、レートマッチングは、前記インジケーションに、少なくとも部分的に、依存する形で遂行される、請求項１に記載の方法。
【請求項１１】
前記シグナリングは、１つまたは複数の物理セル識別子（ＰＣＩ）を介して伝達され、前記方法は、前記ＰＣＩに基づいて前記ＲＳ構成を導出することをさらに備える、請求項１に記載の方法。
【請求項１２】
ユーザ機器（ＵＥ）によるワイヤレス通信のための装置であって、
前記ＵＥに対する多地点協調（ＣｏＭＰ）動作に参加する基地局のセットのための異なる基準信号（ＲＳ）構成を示すシグナリングを受信するための手段と、ここにおいて、各構成は、基準信号を送信するために前記基地局のうちの１つまたは複数による使用のためにリソースを識別し、前記ＲＳ構成のうちの１つまたは複数は、サブフレーム内においてＣＳＩ−ＲＳおよびページング機会が一致するかどうかの動的決定を許可するページングに関連する構成パラメータを備える、
サブフレーム内においてダウンリンク送信を受信するための手段と、
前記ページングに関連する構成パラメータを含む前記受信されたＲＳ構成のうちの１つまたは複数に基づいて前記ダウンリンク送信のためのレートマッチングを遂行するための手段と
を備え、前記ページング機会は、準共通ロケーションの目的のために、前記ＲＳ構成内において指定される非ゼロ電力（ＮＺＰ）チャネル状態情報（ＣＳＩ）−ＲＳ構成および／または前記ＲＳ構成内において指定されるゼロ電力（ＺＰ）ＣＳＩ−ＲＳ構成に適用される、装置。
【請求項１３】
前記ＲＳ構成は、非ゼロ電力（ＮＺＰ）ＣＳＩ−ＲＳ構成またはゼロ電力（ＺＰ）ＣＳＩ−ＲＳ構成のうちの少なくとも１つを含む、請求項１２に記載の装置。
【請求項１４】
ユーザ機器（ＵＥ）によるワイヤレス通信のためのコンピュータプログラムであって、少なくとも１つのプロセッサに、
前記ＵＥに対する多地点協調（ＣｏＭＰ）動作に参加する基地局のセットのための異なる基準信号（ＲＳ）構成を示すシグナリングを受信することと、ここにおいて、各構成は、基準信号を送信するために前記基地局のうちの１つまたは複数による使用のためにリソースを識別し、前記ＲＳ構成のうちの１つまたは複数は、サブフレーム内においてＣＳＩ−ＲＳおよびページング機会が一致するかどうかの動的決定を許可するページングに関連する構成パラメータを備える、
サブフレーム内においてダウンリンク送信を受信することと、
前記ページングに関連する構成パラメータを含む前記受信されたＲＳ構成のうちの１つまたは複数に基づいて前記ダウンリンク送信のためのレートマッチングを遂行することと
を行わせるための命令を備え、前記ページング機会は、準共通ロケーションの目的のために、前記ＲＳ構成内において指定される非ゼロ電力（ＮＺＰ）チャネル状態情報（ＣＳＩ）−ＲＳ構成および／または前記ＲＳ構成内において指定されるゼロ電力（ＺＰ）ＣＳＩ−ＲＳ構成に適用される、コンピュータプログラム。
【発明の詳細な説明】
【関連出願の相互参照】
【０００１】
[0001]本特許出願は、２０１２年８月１日に出願された、米国仮特許出願第６１／６７８，５６１号、２０１２年９月２８日に出願された、米国仮特許出願第６１／７０７，１９６号、２０１２年１１月２日に出願された、米国仮特許出願第６１／７２１，９３５号、２０１３年１月１８日に出願された、米国仮特許出願第６１／７５４，３８９号の優先権を主張し、これら開示は、本願の譲受人に譲渡され、その全体における参照により、ここに明確に組み込まれる。
【技術分野】
【０００２】
[0002]本開示のある特定の態様は、一般的にワイヤレス通信に関連する。
【背景技術】
【０００３】
[0003]ワイヤレス通信システムは、音声、データ、等のような様々なタイプの通信コンテンツを提供するよう広く展開される。これらのシステムは、利用可能なシステムリソース（例えば、帯域幅および送信電力）を共有することによって多数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）システム、および直交周波数分割多元接続（ＯＦＤＭＡ）システムを含む。
【０００４】
[0004]ワイヤレス通信システムに対する最近の追加において、いわゆるＬＴＥ−アドバンスド特徴セット（例えば、３ＧＰＰ ＴＳ ３６．９２０）の下で、いくつかのセルがエアインターフェースのスペクトル効率、品質、および性能を増大させるようともに協働する異なる機能性は、定義される。そのような機能性の例は、ＭＩＭＯのようなアプローチ内においてシステムスペクトル効率を増大させるよう導入され、第３世代パートナーシッププロジェクト（３ＧＰＰ）によって完全に標準化されつつある多地点協調（ＣｏＭＰ）である。
【発明の概要】
【０００５】
[0005]本開示のある特定の態様は、ユーザ機器（ＵＥ）によるワイヤレス通信のための方法を提供する。方法は一般的に、ユーザ機器（ＵＥ）に対する多地点協調（ＣｏＭＰ）動作に参加する基地局のセットのための異なる基準信号（ＲＳ）構成を示すシグナリングを受信することと、ここにおいて、各構成は、基準信号を送信するために基地局のうちの１つまたは複数による使用のためにリソースを識別する、サブフレーム内においてダウンリンク送信を受信することと、ＲＳ構成のうちの１つまたは複数に基づいてダウンリンク送信のためのレートマッチングをどのように遂行するかを決定することとを含む。
【０００６】
[0006]本開示のある特定の態様は、ワイヤレス通信のための装置を提供する。装置は一般的に、ユーザ機器（ＵＥ）に対する多地点協調（ＣｏＭＰ）動作に参加する基地局のセットのための異なる基準信号（ＲＳ）構成を示すシグナリングを受信するための手段と、ここにおいて、各構成は、基準信号を送信するために基地局のうちの１つまたは複数による使用のためにリソースを識別する、サブフレーム内においてダウンリンク送信を受信するための手段と、ＲＳ構成のうちの１つまたは複数に基づいてダウンリンク送信のためのレートマッチングをどのように遂行するかを決定するための手段とを含む。
【０００７】
[0007]本開示のある特定の態様は、ワイヤレス通信のための装置を提供する。装置は一般的に、ユーザ機器（ＵＥ）に対する多地点協調（ＣｏＭＰ）動作に参加する基地局のセットのための異なる基準信号（ＲＳ）構成を示すシグナリングを受信することと、ここにおいて、各構成は、基準信号を送信するために基地局のうちの１つまたは複数による使用のためにリソースを識別する、サブフレーム内においてダウンリンク送信を受信することと、ＲＳ構成のうちの１つまたは複数に基づいてダウンリンク送信のためのレートマッチングをどのように遂行するかを決定することとを行うよう構成される処理システムを含む。
【０００８】
[0008]本開示のある特定の態様は、ワイヤレス通信のためのコンピュータプログラム製品を提供する。コンピュータプログラム製品は一般的に、ユーザ機器（ＵＥ）に対する多地点協調（ＣｏＭＰ）動作に参加する基地局のセットのための異なる基準信号（ＲＳ）構成を示すシグナリングを受信することと、ここにおいて、各構成は、基準信号を送信するために基地局のうちの１つまたは複数による使用のためにリソースを識別する、サブフレーム内においてダウンリンク送信を受信することと、ＲＳ構成のうちの１つまたは複数に基づいてダウンリンク送信のためのレートマッチングをどのように遂行するかを決定することとのために記憶される命令を有するコンピュータ可読媒体を含む。
【０００９】
[0009]本開示のある特定の態様は、ユーザ機器（ＵＥ）によるワイヤレス通信のための方法を提供する。方法は一般的に、多地点協調（ＣｏＭＰ）動作に参加する基地局のセットからダウンリンク送信のための１つまたは複数の開始シンボルインデックスの構成を示すシグナリングを受信することと、サブフレーム内においてダウンリンク送信を受信することと、構成に基づいてダウンリンク送信のための開始シンボルインデックスを決定することとを含む。
【００１０】
[0010]本開示のある特定の態様は、ユーザ機器（ＵＥ）によるワイヤレス通信のための装置を提供する。装置は一般的に、多地点協調（ＣｏＭＰ）動作に参加する基地局のセットからダウンリンク送信のための１つまたは複数の開始シンボルインデックスの構成を示すシグナリングを受信するための手段と、サブフレーム内においてダウンリンク送信を受信するための手段と、構成に基づいてダウンリンク送信のための開始シンボルインデックスを決定するための手段とを含む。
【００１１】
[0011]本開示のある特定の態様は、ユーザ機器（ＵＥ）によるワイヤレス通信のための装置を提供する。装置は一般的に、多地点協調（ＣｏＭＰ）動作に参加する基地局のセットからダウンリンク送信のための１つまたは複数の開始シンボルインデックスの構成を示すシグナリングを受信することと、サブフレーム内においてダウンリンク送信を受信することとを行うよう構成される受信機と、構成に基づいてダウンリンク送信のための開始シンボルインデックスを決定するよう構成されるプロセッサとを含む。
【００１２】
[0012]本開示のある特定の態様は、ワイヤレス通信のためのコンピュータプログラム製品を提供する。コンピュータプログラム製品は一般的に、多地点協調（ＣｏＭＰ）動作に参加する基地局のセットからダウンリンク送信のための１つまたは複数の開始シンボルインデックスの構成を示すシグナリングを受信することと、サブフレーム内においてダウンリンク送信を受信することと、構成に基づいてダウンリンク送信のための開始シンボルインデックスを決定することとのために記憶される命令を有するコンピュータ可読媒体を含む。
【００１３】
[0013]方法、装置、システム、コンピュータプログラム製品、および処理システムを含む、数多くの他の態様は、提供される。
【図面の簡単な説明】
【００１４】
[0014]本開示の上述された特徴が詳細に理解できるように、上記で簡潔に要約されたより特定の記述は、態様への参照によりなされ、それらのうちのいくつかは、添付の図面内において例示される。しかしながら、添付の図面は、本開示のある特定の典型的な態様のみを例示しており、したがって、その記述が他の同等に効果的な態様を認めうるため、その範囲を限定するものと考慮されるべきではないことに留意されたい。
【図１】本開示のある特定の態様にしたがって、ネットワークアーキテクチャの例を例示する図である。
【図２】本開示のある特定の態様にしたがって、アクセスネットワークの例を例示する図である。
【図３】本開示のある特定の態様にしたがって、ＬＴＥ内におけるダウンリンク（ＤＬ）フレーム構造の例を例示する図である。
【図４】本開示のある特定の態様にしたがって、ＬＴＥ内におけるアップリンク（ＵＬ）フレーム構造の例を例示する図である。
【図５】本開示のある特定の態様にしたがって、ユーザおよび制御プレーンのための無線プロトコルアーキテクチャの例を例示する図である。
【図６】本開示のある特定の態様にしたがって、アクセスネットワーク内における発展型ノードＢ（ｅＮＢ）およびユーザ機器（ＵＥ）の例を例示する図である。
【図７】本開示のある特定の態様にしたがって、多地点協調（ＣｏＭＰ）システムの例を例示する。
【図８】本開示のある特定の態様にしたがって、ＣｏＭＰ送信を処理するようＵＥによって遂行されうる動作８００の例を例示する。
【図９】本開示のある特定の態様にしたがって、ＣｏＭＰ送信を処理するようＵＥによって遂行されうる動作９００の例を例示する。
【発明を実施するための形態】
【００１５】
[0024]添付の図面に関連して以下に述べられる詳細な記述は、様々な構成の記述として意図されるものであり、本明細書において記述される概念が実現されうる唯一の構成を表すよう意図されるものではない。詳細な記述は、様々な概念の完全な理解を提供する目的のために特有の詳細を含む。しかしながら、これらの概念がこれらの特有の詳細なしに実現されうるということは、当業者にとって明らかであろう。いくつかの例において、そのような概念をあいまいにすることを避けるために、周知の構造およびコンポーネントは、ブロック図形式で示される。
【００１６】
[0025]電気通信システムのいくつかの態様は、ここにおいて、様々な装置および方法に関連して提示されるだろう。これらの装置および方法は、次の詳細な記述内において記述され、付随する図面内において、様々なブロック、モジュール、コンポーネント、回路、ステップ、処理、アルゴリズム、等（集合的には「要素」と呼ばれる）により例示されるだろう。これらの要素は、電子ハードウェア、コンピュータソフトウェア、またはそれらの任意の組み合わせを使用して実装されうる。そのような要素がハードウェアとしてまたはソフトウェアとして実装されるかどうかは、システム全体上に課された設計の制約および特定のアプリケーションに依存する。
【００１７】
[0026]例として、要素、または要素の任意の一部、あるいは要素の任意の組み合わせは、１つまたは複数のプロセッサを含む「処理システム」を用いて実装されうる。プロセッサの例は、本開示全体を通して記述される様々な機能を遂行するよう構成される、マイクロプロセッサ、マイクロ制御器、デジタル信号プロセッサ（ＤＳＰ）、フィールドプログラマブルゲートアレイ（ＦＰＧＡ）、プログラマブルロジックデバイス（ＰＬＤ）、ステートマシン、ゲートロジック、離散ハードウェア回路、および他の適したハードウェアを含む。処理システム内における１つまたは複数のプロセッサは、ソフトウェアを実行しうる。ソフトウェアは、ソフトウェア、ファームウェア、ミドルウェア、マイクロコード、ハードウェア記述言語、または別の方法で呼ばれるかどうかに関わらず、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等、を意味するよう広く解釈されるべきである。
【００１８】
[0027]それ故に、１つまたは複数の例示的な実施形態内において、記述される機能は、ハードウェア、ソフウェア、ファームウェア、またはそれらの任意の組み合わせで実装されうる。ソフトウェアで実装される場合、機能は、コンピュータ可読媒体上における１つまたは複数の命令またはコードとして記憶または符号化されうる。コンピュータ可読媒体は、コンピュータ記憶媒体を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは命令やデータ構造の形で所望のプログラムコードを搬送または記憶するよう使用されることができ、コンピュータによってアクセスされることができる任意の他の媒体を備えることができる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、データを磁気的に再生するが、ディスク（disc）は、レーザーを用いて光学的にデータを再生する。上記の組み合わせはまた、コンピュータ可読媒体の範囲内に含まれるべきである。 
[0028]図１は、ＬＴＥネットワークアーキテクチャ１００を示す図である。ＬＴＥネットワークアーキテクチャ１００は、発展型パケットシステム（ＥＰＳ）１００として呼ばれうる。ＥＰＳ１００は、１つまたは複数のユーザ機器（ＵＥ）１０２、発展型ＵＭＴＳ地上波無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含みうる。ＥＰＳは、他のアクセスネットワークと相互接続することができるが、簡潔化のために、それらのエンティティ／インターフェースは、図示しない。図示されているように、ＥＰＳは、パケット交換サービスを提供するが、当業者が容易に理解するように、本開示全体を通して提示される様々な概念は、回路交換サービスを提供するネットワークに拡張されうる。
【００１９】
[0029]Ｅ−ＵＴＲＡＮは、発展型ノードＢ（ｅＮＢ）１０６および他のｅＮＢ１０８を含む。ｅＮＢ１０６は、ＵＥ１０２に対するユーザおよび制御プレーンプロトコル終端を提供する。ｅＮＢ１０６は、Ｘ２インターフェース（例えば、バックホール）を介して、他のｅＮＢ１０８に接続されうる。ｅＮＢ１０６はまた、基地局、基地トランシーバ局、無線基地局、無線トランシーバ、トランシーバ機能、基本サービスセット（ＢＳＳ）、拡張サービスセット（ＥＳＳ）、または何らかの他の適した専門用語で呼ばれうる。ｅＮＢ１０６は、ＵＥ１０２のためのＥＰＣ１１０に対するアクセスポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機器、または任意の他の同様の機能を有するデバイスを含む。ＵＥ１０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語で呼ばれうる。
【００２０】
[0030]ｅＮＢ１０６は、Ｓ１インターフェースによってＥＰＣ１１０に接続される。ＥＰＣ１１０は、モビリティ管理エンティティ（ＭＭＥ）１１２、他のＭＭＥ１１４、サービングゲートウェイ１１６、パケットデータネットワーク（ＰＤＮ）ゲートウェイ１１８を含む。ＭＭＥ１１２は、ＵＥ１０２およびＥＰＣ１１０間におけるシグナリングを処理する制御ノードである。一般的に、ＭＭＥ１１２はベアラおよび接続管理を提供する。全てのユーザＩＰパケットは、自身がＰＤＮゲートウェイ１１８に接続されたサービングゲートウェイ１１６を通じて転送される。ＰＤＮゲートウェイ１１８は、ＵＥにＩＰアドレスの割り振り、ならびに他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含みうる。
【００２１】
[0031]図２は、ＬＴＥネットワークアーキテクチャ内におけるアクセスネットワーク２００の例を例示する図である。この例において、アクセスネットワーク２００は、多数のセルラ領域（セル）２０２に分割される。１つまたは複数のより低い電力クラスのｅＮＢ２０８は、セル２０２のうちの１つまたは複数と重複するセルラ領域２１０を有しうる。より低い電力クラスのｅＮＢ２０８は、遠隔ラジオヘッド（ＲＲＨ）と呼ばれうる。より低い電力クラスのｅＮＢ２０８は、フェムトセル（例えば、ホームｅＮＢ（ＨｅＮＢ））、ピコセル、またはマイクロセルでありうる。マクロｅＮＢ２０４は各々、それぞれのセル２０２に割り当てられ、セル２０２内における全てのＵＥ２０６のためのＥＰＣ１１０へのアクセスポイントを提供するよう構成される。アクセスネットワーク２００のこの例には集中制御器が存在しないが、代替の構成では、集中制御器が使用されうる。ｅＮＢ２０４は、無線ベアラ制御、アドミッション制御、モビリティ制御、スケジューリング、セキュリティ、およびサービングゲートウェイ１１６への接続性を含む、全ての無線に関連する機能を担う。
【００２２】
[0032]アクセスネットワーク２００によって用いられる変調および多元接続スキームは、展開される特定の電気通信規格に依存して異なりうる。ＬＴＥアプリケーションにおいて、周波数分割複信（ＦＤＤ）および時分割複信（ＴＤＤ）の両方をサポートするよう、ＯＦＤＭは、ＤＬ上において使用され、ＳＣ−ＦＤＭＡは、ＵＬ上において使用される。次の詳細な記述から当業者が容易に理解するように、本明細書に提示される様々な概念は、ＬＴＥアプリケーションによく適する。しかしながら、これらの概念は、他の変調および多元接続技法を用いる他の電気通信規格に容易に拡張されうる。例として、これらの概念は、エボリューションデータ最適化（ＥＶ−ＤＯ）、またはウルトラモバイルブロードバンド（ＵＭＢ）に拡張されうる。ＥＶ−ＤＯおよびＵＭＢは、ＣＤＭＡ２０００ファミリの規格の一部として、第３世代パートナーシッププロジェクト２（３ＧＰＰ２）によって広められたエアインターフェース規格であり、モバイル局にブロードバンドインターネットアクセスを提供するようＣＤＭＡを用いる。これらの概念はまた、広帯域ＣＤＭＡ（Ｗ−ＣＤＭＡ）、およびＴＤ−ＳＣＤＭＡのようなＣＤＭＡの他の変形例を用いるユニバーサル地上無線アクセス（ＵＴＲＡ）、ＴＤＭＡを用いるグローバル移動体通信システム（ＧＳＭ（登録商標））、および、ＯＦＤＭＡを用いるフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、および発展型ＵＴＲＡ（Ｅ−ＵＴＲＡ）に拡張されうる。ＵＴＲＡ、Ｅ−ＵＴＲＡ、ＵＭＴＳ、ＬＴＥ、およびＧＳＭ（登録商標）は、３ＧＰＰの組織からの文書内において記述される。ＣＤＭＡ２０００およびＵＭＢは、３ＧＰＰ２の組織からの文書内において記述される。用いられる実際のワイヤレス通信規格および多元接続技術は、システム上において課せられる全体的な設計の制約および特有のアプリケーションに依存するだろう。
【００２３】
[0033]ｅＮＢ２０４は、ＭＩＭＯ技術をサポートする多数のアンテナを有しうる。ＭＩＭＯ技術の使用は、ｅＮＢ２０４が、空間多重化、ビームフォーミング、および送信ダイバーシティをサポートするよう空間ドメインを利用することを可能にする。空間多重化は、同じ周波数上において同時に異なるデータのストリームを送信するよう使用されうる。データストリームは、データレートを増大させるよう単一のＵＥ２０６に、または、全システム容量を増大させるよう多数のＵＥ２０６に、送信されうる。これは、各データストリームを空間的にプリコーディングし（すなわち、振幅および位相のスケーリングを適用し）、その後、ＤＬ上の多数の送信アンテナを通じて各々の空間的にプリコーディングされたストリームを送信することによって達成される。空間的にプリコーディングされたデータストリームは、異なる空間シグネチャとともにＵＥ２０６へと到達し、それは、ＵＥ２０６の各々が、そのＵＥ２０６に宛てられた１つまたは複数のデータストリームを復元することを可能にする。ＵＬ上において、各ＵＥ２０６は、空間的にプリコーディングされたデータストリームを送信し、それは、ｅＮＢ２０４が、各々の空間的にプリコーティングされたデータストリームのソースを識別することを可能にする。
【００２４】
[0034]空間多重化は一般的に、チャネル状況が良好な場合に使用される。チャネル状態があまり好ましくない場合、ビームフォーミングは１つまたは複数の方向に送信エネルギーを集めるよう使用されうる。これは、多数のアンテナを通じた送信のためにデータを空間的にプリコーディングすることによって達成されうる。セルの端において良好なカバレッジを達成するために、単一ストリームのビームフォーミング送信は、送信ダイバーシティと組み合わせて使用されうる。
【００２５】
[0035]次の詳細な記述において、アクセスネットワークの様々な態様は、ＤＬ上においてＯＦＤＭをサポートするＭＩＭＯシステムに関連して記述されるだろう。ＯＦＤＭは、ＯＦＤＭシンボル内の多数のサブキャリアにわたってデータを変調する拡散スペクトル技法である。サブキャリアは、正確な周波数で間隔が空けられる。間隔を空けることは、受信機がサブキャリアからデータを復元することを可能にする「直交性」を提供する。時間ドメインにおいて、ＯＦＤＭシンボル間干渉に対抗するよう、ガードインターバル（例えば、サイクリックプリフィクス）は、各ＯＦＤＭシンボルに追加されうる。ＵＬは、高いピーク対平均電力比（ＰＡＰＲ）を補償するようＤＦＴ拡散ＯＦＤＭ信号の形態でＳＣ−ＦＤＭＡを使用しうる。
【００２６】
[0036]図３は、ＬＴＥ内におけるＤＬフレーム構造の例を例示する図３００である。フレーム（１０ｍｓ）は、１０の等しいサイズのサブフレームに分割されうる。各サブフレームは、２つの連続した時間スロットを含みうる。リソースグリッドは、２つのタイムスロットを表すよう使用され、各タイムスロットは、リソースブロックを含む。リソースグリッドは、多数のリソース要素に分割される。ＬＴＥ内において、リソースブロックは、周波数ドメイン内における１２の連続するサブキャリアと、各ＯＦＤＭシンボル内における通常のサイクリックプリフィクスでは、時間ドメイン内における７つの連続するＯＦＤＭシンボルとを含み、すなわち、８４のリソース要素を含む。拡張されたサイクリックプリフィックスに対して、リソースブロックは、時間ドメイン内において６つの連続したＯＦＤＭシンボルを含み、７２のリソース要素を有する。リソース要素のうちのいくつかは、Ｒ３０２、３０４として示されるように、ＤＬ基準信号（ＤＬ−ＲＳ）を含む。ＤＬ−ＲＳは、セル特有のＲＳ（ＣＲＳ）（共通ＲＳと呼ばれることもある）３０２およびＵＥ特有のＲＳ（ＵＥ−ＲＳ）３０４を含む。ＵＥ−ＲＳ３０４は、対応する物理ＤＬ共有チャネル（ＰＤＳＣＨ）がマッピングされるリソースブロック上においてのみ送信される。各リソース要素によって搬送されるビット数は、変調スキームに依存する。したがって、ＵＥが受信するリソースブロックがより多いほど、および変調スキームがより高いほど、ＵＥのためのデータレートは、より高くなる。
【００２７】
[0037]図４は、ＬＴＥ内におけるＵＬフレーム構造の例を例示する図４００である。ＵＬのために利用可能なリソースブロックは、データセクションおよび制御セクションに区分されうる。制御セクションは、システム帯域幅の両端に形成され、構成可能なサイズを有しうる。制御セクション内におけるリソースブロックは、制御情報の送信のためにＵＥに割り当てられうる。データセクションは、制御セクション内に含まれない全てのリソースブロックを含みうる。ＵＬフレーム構造は、隣接したサブキャリアを含むデータセクションに帰結し、それは、単一のＵＥに、データセクション内における隣接したサブキャリアの全てが割り当てられることを許可しうる。
【００２８】
[0038]ＵＥは、ｅＮＢに制御情報を送信するよう制御セクション内におけるリソースブロック４１０ａ、４１０ｂを割り当てられうる。ＵＥはまた、ｅＮＢにデータを送信するようデータセクション内におけるリソースブロック４２０ａ、４２０ｂを割り当てられうる。ＵＥは、制御セクション内における割り当てられたリソースブロック上における物理ＵＬ制御チャネル（ＰＵＣＣＨ）内において制御情報を送信しうる。ＵＥは、データセクション内における割り当てられたリソースブロック上における物理ＵＬ共有チャネル（ＰＵＳＣＨ）内において、データのみ、またはデータと制御情報の両方を送信しうる。ＵＬ送信は、サブフレームの両スロットにまたがり、周波数にわたってホッピングしうる。
【００２９】
[0039]リソースブロックのセットは、物理ランダムアクセスチャネル（ＰＲＡＣＨ）４３０内において初期システムアクセスを遂行し、ＵＬ同期を達成するよう使用されうる。ＰＲＡＣＨ４３０は、ランダムシーケンスを搬送するが、任意のＵＬデータ／シグナリングを搬送することはできない。各ランダムアクセスプリアンブルは、６つの連続するリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨのためにホッピングする周波数はない。ＰＲＡＣＨ試行は、単一のサブフレーム（１ｍｓ）内、または少数の隣接するサブフレームのシーケンス内において搬送され、ＵＥは、フレーム（１０ｍｓ）毎に単一のＰＲＡＣＨ試行のみを行える。
【００３０】
[0040]図５は、ＬＴＥ内におけるユーザおよび制御プレーンのための無線プロトコルアーキテクチャの例を例示する図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能を実装する。Ｌ１レイヤは、本明細書において物理レイヤ５０６と呼ばれることになる。レイヤ２（Ｌ２レイヤ）５０８は、物理レイヤ５０６よりも上位にあり、物理レイヤ５０６にわたるＵＥおよびｅＮＢ間のリンクを担う。
【００３１】
[0041]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それらは、ネットワーク側上におけるｅＮＢにおいて終端する。示されていないが、ＵＥは、ネットワーク側上におけるＰＤＮゲートウェイ１１８において終端するネットワークレイヤ（例えば、ＩＰレイヤ）、および接続の他端（例えば、遠端ＵＥ、サーバ、等）において終端するアプリケーションレイヤを含む、Ｌ２レイヤ５０８よりも上の、いくつかの上位レイヤを有しうる。
【００３２】
[0042]ＰＤＣＰサブレイヤ５１４は、異なる無線ベアラおよび論理チャネル間において多重化を提供する。ＰＤＣＰサブレイヤ５１４はまた、無線送信のオーバヘッドを低減するための上位レイヤデータパケットのためのヘッダ圧縮、データパケットを暗号化することによるセキュリティ、およびｅＮＢ間におけるＵＥのためのハンドオーバサポートを提供する。ＲＬＣサブレイヤ５１２は、上位レイヤデータパケットのセグメンテーションおよびリアセンブリ、損失データパケットの再送、およびハイブリッド自動再送要求（ＨＡＲＱ）に起因する、順序が乱れた受信を補償するデータパケットの並び替えを提供する。ＭＡＣサブレイヤ５１０は、論理およびトランスポートチャネル間における多重化を提供する。ＭＡＣサブレイヤ５１０はまた、ＵＥ間における１つのセル内において様々な無線リソース（例えば、リソースブロック）の割り振りを担う。ＭＡＣサブレイヤ５１０はまた、ＨＡＲＱ演算を担う。
【００３３】
[0043]制御プレーンにおいて、ＵＥおよびｅＮＢのための無線プロトコルアーキテクチャは、制御プレーンのためのヘッダ圧縮機能がないという点を除き、物理レイヤ５０６およびＬ２レイヤ５０８の場合と実質的に同一である。制御プレーンはまた、レイヤ３（Ｌ３レイヤ）内における無線リソース制御（ＲＲＣ）サブレイヤ５１６を含む。ＲＲＣサブレイヤ５１６は、無線リソース（すなわち、無線ベアラ）を取得することと、ｅＮＢおよびＵＥ間においてＲＲＣシグナリングを使用してより下位のレイヤを構成することとを担う。
【００３４】
[0044]図６は、アクセスネットワーク内においてＵＥ６５０と通信するｅＮＢ６１０のブロック図である。ＤＬ内において、コアネットワークからの上位レイヤパケットは、制御器／プロセッサ６７５に提供される。制御器／プロセッサ６７５は、Ｌ２レイヤの機能を実装する。ＤＬ内において、制御器／プロセッサ６７５は、ヘッダの圧縮、暗号化、パケットセグメンテーションおよび並び替え、論理およびトランスポートチャネル間における多重化、および様々な優先順位メトリックに基づいたＵＥ６５０への無線リソースの割り振りを提供する。制御器／プロセッサ６７５はまた、ＨＡＲＱ演算、損失パケットの再送、ＵＥ６５０へのシグナリングを担う。
【００３５】
[0045]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ）を容易にするようコーディングおよびインターリーブすることと、様々な変調スキーム（例えば、２位相偏移変調（ＢＰＳＫ）、４位相偏移変調（ＱＰＳＫ）、Ｍ位相変調（Ｍ−ＰＳＫ）、Ｍ値直交振幅変調（Ｍ−ＱＡＭ））に基づいて信号コンステレーションにマッピングすることとを含む。コード化され変調されたシンボルは、その後、並行なストリームに分けられる。各ストリームは、その後、時間ドメインＯＦＤＭシンボルストリームを搬送する物理チャネルを生成するよう、ＯＦＤＭサブキャリアにマッピングされ、時間および／または周波数ドメイン内において基準信号（例えば、パイロット）とともに多重化され、その後、逆高速フーリエ変換（ＩＦＦＴ）を使用して互いに組み合わされる。ＯＦＤＭストリームは、多数の空間ストリームを生成するよう空間的にプリコーディングされる。チャネル推定器６７４からのチャネル推定値は、コーディングおよび変調スキームの決定、ならびに空間処理のために使用されうる。チャネル推定値は、ＵＥ６５０によって送信された基準信号および／またはチャネル条件フィードバックから導出されうる。各空間ストリームは、その後、別個の送信機６１８ＴＸを介して異なるアンテナ６２０に提供される。各送信機６１８ＴＸは、送信のためにそれぞれの空間ストリームを用いてＲＦキャリアを変調する。
【００３６】
[0046]ＵＥ６５０では、各受信機６５４ＲＸは、それのそれぞれのアンテナ６５２を通して信号を受信する。各受信機６５４ＲＸは、ＲＦキャリア上において変調された情報を復元し、受信機（ＲＸ）プロセッサ６５６に情報を提供する。ＲＸプロセッサ６５６は、Ｌ１レイヤの様々な信号処理機能を実装する。ＲＸプロセッサ６５６は、ＵＥ６５０に宛てられた任意の空間ストリームを復元するよう情報に対して空間処理を遂行する。複数の空間ストリームがＵＥ６５０に宛てられる場合、それらは、ＲＸプロセッサ６５６により単一のＯＦＤＭシンボルストリームに組み合わされうる。ＲＸプロセッサ６５６は、その後、高速フーリエ変換（ＦＦＴ）を使用して、ＯＦＤＭシンボルストリームを時間ドメインから周波数ドメインへと変換する。周波数ドメイン信号は、ＯＦＤＭ信号の各サブキャリアのための別個のＯＦＤＭシンボルストリームを備える。各サブキャリア上におけるシンボル、および基準信号は、ｅＮＢ６１０によって送信された最も可能性の高い信号コンステレーションポイントを決定することによって復元および復調される。これらの軟判定は、チャネル推定器６５８によって計算されたチャネル推定値に基づきうる。これらの軟判定は、その後、物理チャネル上においてｅＮＢ６１０により当初送信されたデータおよび制御信号を復元するよう復号およびデインターリーブされる。データおよび制御信号は、その後、制御器／プロセッサ６５９に提供される。
【００３７】
[0047]制御器／プロセッサ６７５はＬ２レイヤを実装する。制御器／プロセッサは、プログラムコードおよびデータを記憶するメモリ６６０に関連付けられることができる。メモリ６６０は、コンピュータ可読媒体として呼ばれうる。ＵＬ内において、制御器／プロセッサ６５９は、コアネットワークからの上位レイヤパケットを復元するようトランスポートおよび論理チャネル間において逆多重化、パケットのリアセンブリ、暗号解読、ヘッダの解凍、制御信号処理を提供する。上位レイヤパケットは、その後、データシンク６６２に提供され、それは、Ｌ２レイヤより上位の全てのプロトコルレイヤを表す。様々な制御信号はまた、Ｌ３処理のために、データシンク６６２に提供されうる。制御器／プロセッサ６５９はまた、ＨＡＲＱ演算をサポートするよう肯定応答（ＡＣＫ）および／または否定応答（ＮＡＣＫ）プロトコルを使用した誤り検出を担う。
【００３８】
[0048]ＵＬにおいて、データソース６６７は、制御器／プロセッサ６５９に上位レイヤパケットを提供するよう使用される。データソース６６７は、Ｌ２レイヤより上位の全てのプロトコルレイヤを表す。ｅＮＢ６１０によるＤＬ送信に関連して記述された機能と同様に、制御器／プロセッサ６５９は、ヘッダ圧縮、暗号化、パケットセグメンテーションと並び替え、およびｅＮＢ６１０による無線リソースの割り振りに基づいて論理およびトランスポートチャネル間における多重化を提供することにより、ユーザプレーンおよび制御プレーンのためのＬ２レイヤを実装する。制御器／プロセッサ６５９はまた、ＨＡＲＱ演算、損失パケットの再送、ｅＮＢ６１０へのシグナリングを担う。
【００３９】
[0049]ｅＮＢ６１０によって送信される基準信号またはフィードバックからチャネル推定器６５８によって導出されるチャネル推定値は、適切なコーディングおよび変調スキームを選択すること、および空間処理を容易にすることを行うようＴＸプロセッサ６６８によって使用されうる。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームを用いてＲＦキャリアを変調する。
【００４０】
[0050]ＵＬ送信は、ＵＥ６５０における受信機機能に関連して記述される手法と同様の形で、ｅＮＢ６１０において処理される。各受信機６１８ＲＸは、そのそれぞれのアンテナ６２０を通じて信号を受信する。各受信機６１８ＲＸは、ＲＦキャリア上において変調された情報を復元し、ＲＸプロセッサ６７０に情報を提供する。ＲＸプロセッサ６７０は、Ｌ１レイヤを実装しうる。
【００４１】
[0051]制御器／プロセッサ６７５は、Ｌ２レイヤを実装する。制御器／プロセッサ６７５は、プログラムコードおよびデータを記憶するメモリ６７６に関連付けられることができる。メモリ６７６は、コンピュータ可読媒体として呼ばれうる。ＵＬ内において、制御器／プロセッサ６７５は、ＵＥ６５０からの上位レイヤパケットを復元するようトランスポートおよび論理チャネル間における逆多重化、パケットのリアセンブリ、暗号解読、ヘッダの解凍、制御信号処理を提供する。制御器／プロセッサ６７５からの上位レイヤパケットは、コアネットワークに提供されうる。制御器／プロセッサ６７５はまた、ＨＡＲＱ演算をサポートするようＡＣＫおよび／またはＮＡＣＫプロトコルを使用する誤り検出を担う。  
多地点協調通信のための方法および装置
【００４２】
[0052]上述されたように、いわゆるＬＴＥ−アドバンスド特徴セット（例えば、３ＧＰＰ ＴＳ ３６．９２０）のような、ワイヤレス通信システムに対する最近の追加において、いくつかのセルがエアインターフェースのスペクトル効率、品質、および性能を増大させるようともに協働する異なる機能性は、定義される。そのような機能性の例は、（多地点協調（ＣｏＭＰ）動作に関与する異なる基地局が別個のＭＩＭＯ Ｔｘアンテナに類似であると考慮されうる）ＭＩＭＯのようなアプローチ内においてシステムスペクトル効率を増大させるよう導入され、第３世代パートナーシッププロジェクト（３ＧＰＰ）によって完全に標準化されつつあるＣｏＭＰ動作である。本方法および装置は、ＣｏＭＰ送信スキームのためのリソースマッピングおよびそのようなマッピングに基づく処理通信を含む。
【００４３】
[0053]図７は、複数の基地局７１０（例えば、サービングｅＮＢ７１０ａおよび遠隔無線ヘッドＲＲＨ７１０ｂ）が１つまたは複数のＣｏＭＰスキームを使用して１つまたは複数のＵＥ７２０に対する送信を協調させうる、システム例を例示する。基地局７１０およびＵＥ７２０は、異なるデータリソース要素（ＲＥ）（データＲＥの異なる数および／ロケーション）を利用する異なる基地局を説明するよう、ＣｏＭＰスキームに参加し、以下においてより詳細に記述される技法を活用するよう構成されうる。
【００４４】
[0054]本明細書で使用される場合、ＣｏＭＰスキームという用語は一般的に、１つまたは複数のＵＥに対する送信を協調するよう多数の基地局によって使用される特定のスキームを指す。ＣｏＭＰスキームのいくつかの例は、ジョイント送信、分散ＭＩＭＯ、協調ビームフォーミング、動的ポイント切り替え、およびそれらに類するものを含む。
【００４５】
[0055]ジョイント送信ＣｏＭＰスキームにおいて、多数の基地局（またはｅＮＢ）は典型的に、ＵＥのための同じデータを送信する。例えば、基地局を協調させることは、全ての関与する基地局の全てのアンテナにわたるジョイントプリコーディングベクトルを利用しうる。
【００４６】
[0056]分散ＭＩＭＯ ＣｏＭＰスキームにおいて、多数の基地局は典型的に、異なるＭＩＭＯレイヤとしてＵＥのための異なるデータの一部を送信する。例えば、１つのレイヤは、１つの基地局によって送られ、第２のレイヤは、第２の基地局によって送られ、と続き、サポートされるレイヤの数まで続きうる。
【００４７】
[0057]協調ビームフォーミングＣｏＭＰスキームにおいて、各特定の基地局は、他の近隣セル内においてＣｏＭＰ基地局に参加することによってサービングされるＵＥに対する干渉を低減するよう選択されるビームを使用して（サービングする）そのＵＥに送信する。
【００４８】
[0058]動的ポイント切り替えＣｏＭＰスキームにおいて、ＵＥのためのサービング基地局は、基地局のセット内において時間とともに変化しうる。
【００４９】
[0059]ＣｏＭＰスキームに関する１つの問題は、異なるＣｏＭＰ基地局によるデータのために使用される特定のＲＥが異なるために生じる。異なる基地局によって使用されるデータＲＥの正確な数およびロケーションは、１つまたは複数の様々な理由のために異なりうる。例えば、異なる基地局は、異なる数の制御シンボルを有し、異なる数のＲＥをデータのために利用可能のままにしうる。他の例として、ＣＲＳのロケーションは、異なり、それらのＣＳＩ−ＲＳパターンは、異なり、および／またはミュートされたＲＥのそれらのパターンは、異なりうる。本明細書で使用される場合、ミュートされたＲＥという用語は一般的に、例えば、他の基地局との干渉を低減する、または他の基地局のための干渉測定を容易にするよう、基地局が送信を限定するＲＥを指す。そのような限定された送信の例として、いくつかのＲＥは、ゼロ電力で送信されうる。
【００５０】
[0060]様々なシステムにしたがって、異なるキャリアタイプは、サポートされうる。例えば、ＬＴＥ Ｒｅｌ−９からＲｅｌ−１１において、全てのキャリアは、Ｒｅｌ−８（例えば、「レガシキャリアタイプ」またはＬＣＴ）に対して後方互換性がありうる。これらのケースにおいて、ＣＲＳは、全てのサブフレーム内において表示されうる。ＭＢＳＦＮサブフレームにおいて、ＣＲＳは、サブフレームの非ＭＢＳＦＮ領域内においてのみ表示されうる。
【００５１】
[0061]Ｒｅｌ−１２以降において、例えば、必ずしも後方互換性がない、新しいキャリアタイプ（ＮＣＴ）は、導入されうる。ＮＣＴとともに、ＣＲＳの存在は、サブフレームのサブレット内においてのみであり（例えば、５サブフレーム毎）、１つのアンテナポートにのみ限定され、狭帯域でありうる。これは、ｅＮＢのためにＤＬオーバヘッドを低減するおよび節電を提供するのに役立ちうる。ＮＣＴのキャリアは、スタンドアロンまたはキャリアアグリゲーションの一部でありうる。いくつかのケースにおいて、ＮＣＴは、（全てのサブフレーム内においてとまではいかなくとも）少なくともいくつかのサブフレーム内において、レガシ制御領域を有しえない。ＮＣＴは、制御シグナリングのために、または別のキャリアから制御するために、（物理ダウンリンク共有チャネル（ＰＤＳＣＨ）のために従来使用されるリソースを使用して送信される）拡張物理ダウンリンク制御チャネル（ｅＰＤＣＣＨ）に完全に、および拡張物理制御フォーマットインジケータチャネル（ｅＰＣＦＩＣＨ）および／または拡張ＰＨＩＣＨ（ｅＰＨＩＣＨ）に潜在的に頼りうる。いくつかの実施形態において、ＮＣＴは、第２の目的のための第１の目的のために当初意図されるリソースを用いうる。いくつかの実施形態において、ＮＣＴは、第２の目的のための第１の目的のために従来用いられるリソースを用いうる。
【００５２】
[0062]Ｒｅｌ−１１において、例えば、多地点協調（ＣｏＭＰ）送信スキームは、サポートされうる。上述されたように、ＣｏＭＰは、多数の基地局が１つまたは複数のＵＥへの送信（例えば、ＤＬ ＣｏＭＰ）または１つまたは複数のＵＥからの受信（例えば、ＵＬ ＣｏＭＰ）を協調するスキームを指しうる。ＤＬ ＣｏＭＰおよびＵＬ ＣｏＭＰは、ＵＥのために別個にまたはジョイントで可能にされることができる。
【００５３】
[0063]上述されたように、ＣｏＭＰスキームのいくつかの例は、多数のｅＮＢがＵＥのための同じデータを送信するジョイント送信（ＪＴ）（例えば、ＤＬ ＣｏＭＰ）、多数のｅＮＢがＵＥのための同じデータを受信するジョイント受信（例えば、ＵＬ ＣｏＭＰ）、ｅＮＢが近隣セル内におけるＵＥに対する干渉を低減するよう選択されるビームを使用してそのＵＥに送信する協調ビームフォーミング（ＣＢＦ）、およびデータ送信に関与するセルがサブフレームからサブフレームに変化しうる動的ポイント選択（ＤＰＳ）である。
【００５４】
[0064]ＣｏＭＰは、（例えば、同じタイプの基地局を有する）同種ネットワークおよび／または（例えば、マクロ、ピコ、および／またはフェムトノードのような、異なる電力クラスタイプの基地局を有する、ＨｅｔＮｅｔ）異種ネットワーク内において存在しうる。ＣｏＭＰに関与するノード間における接続は、Ｘ２（何らかのレイテンシ、限定される帯域幅）またはファイバ（最小レイテンシおよび「限定されない」帯域幅）であることができる。ＨｅｔＮｅｔ ＣｏＭＰにおいて、低電力ノードはまた、遠隔無線ヘッド（ＲＲＨ）と呼ばれることもある。
【００５５】
[0065]いくつかのシステムにおいて、ＤＭ−ＲＳシーケンス初期化に対して、Ｘの２つの候補値ｘ（０）およびｘ（１）を使用するようＵＥを構成することが同意されうる。スクランブリングアイデンティティ番号（ｎＳＣＩＤ）は、ランク１および２のみのためのｘ（０）またはｘ（１）の動的選択のために再使用されうる。いくつかのケースにおいて、ｎＳＣＩＤは、２より大きなランクのために０と等しく、ｘ（０）は、使用されうる。ｘ（ｎ）（０≦ｎ＜２）の値の範囲は、例えば、０−５０３でありうる。
【００５６】
[0066]いくつかのケースにおいて、シグナリングは、ＰＤＳＣＨ送信が起こりうる少なくとも１つのセルのＣＲＳ位置を示すよう提供されうる。このシグナリングは、少なくとも周波数シフトを識別しうる。
【００５７】
[0067]シグナリングが送信される場合、ＰＤＳＣＨ処理は、例えば、単一セルの示されたＣＲＳの周囲におけるＲｅｌ−１０レートマッチングの後に続き、そうでない場合（例えば、シグナリングが送信されない場合）、ＵＥは、サービングセルのＣＲＳ位置を想定しうる。
【００５８】
[0068]様々な詳細は、ＣｏＭＰシステム内におけるＣＲＳ送信のために考慮されうる。例えば、ＣｏＭＰシナリオ内におけるＣＲＳ送信は、次の設計詳細を有しうる。アンテナポートの数（例えば、ＬＴＥ Ｒｅｌ−８／９／１０／１１内において、１、２、または４つのアンテナポートであることができ（例えば、ポート０から３）、ＬＴＥ Ｒｅｌ−１２内において、例えば、（少なくともいくつかのサブフレームのために）０のアンテナポートであることができる）。様々なサブフレームタイプはまた、ＣＲＳ送信に影響しうる。例えば、非ＭＢＳＦＮサブフレーム内において、ＣＲＳポート０およびポート１は、４つのシンボルで表示される一方、ＣＲＳポート２および３は、２つのシンボルで表示される。ＭＢＳＦＮサブフレーム内において、各ＣＲＳポートは、１つのシンボル（例えば、非ＭＢＳＦＮ領域）でのみ表示される一方、ＭＢＳＦＮ領域内においてＣＲＳは、存在しない。各ＣＲＳポートは、セルの物理セルＩＤ ＮＩＤＣｅｌｌに基づいて、６つの周波数シフトを有しうる。ＣＲＳはまた、ＴＤＤ特有でありうる。例えば、特別のサブフレーム内において、ＣＲＳは、ＤｗＰＴＳの長さが特別なサブフレーム構成およびＣＰタイプに依存する、ＤｗＰＴＳでのみ表示されうる。加えて、いくつかのシステム内において、異なるセルは、異なるＤＬ／ＵＬサブフレーム構成を有しうる。
【００５９】
[0069]本開示は、次の問題に対処する。ＣＲＳに関連するパラメータ、ＰＤＳＣＨレートマッチング依存性、フォールバック、ｅＰＤＣＣＨ問題、詳細なシグナリング、ＰＤＳＣＨ開始シンボル、ＣＳＩフィードバックとの相互作用、および様々な他の問題である。
【００６０】
[0070]レガシキャリアタイプに関して、１つの問題は、ＵＥがＣｏＭＰに参加するセルのために同じ数のＣＲＳアンテナポートを想定できるか否かということでありうる。そうである場合、非サービングセルのためにＣＲＳアンテナポートの番号の数をシグナリングする必要はない。これは、単純だが、（例えば、同じキャリア周波数を使用する新しいキャリアタイプおよびレガシキャリアタイプを有する可能性を特に考慮すると）また比較的制限的でありうる。サービングセルのＣＲＳアンテナポートの数が非サービングセルのそれと劣らず、非サービングセルのためのＣＲＳアンテナポートの＃がサービングセルと同じであるとＵＥが想定する場合、サービングおよび非サービングセル間におけるＣＲＳアンテナポートの実際の数は異なることができることに留意されたい。
【００６１】
[0071]そうでない場合、ＣＲＳアンテナポートの数をシグナリングすることが望まれうる。理想的には、ＣｏＭＰ内において各非サービングセルのための３つの可能な値（例えば、１、２、または４つのＣＲＳポート）が存在しうる。これは、１ビット情報のみが関与するように、２つの可能な値（例えば、２または４つのＣＲＳポート）を示すことによって簡略化されうる。これはさらに、全ての３つのセルのためのＣＲＳポートの数の１つの値（例えば、３つのセルのための最大値）を除く、例えば、ＣｏＭＰ内における３つのセルのような、ＣｏＭＰに関与する全てのセルのための１つの（または何らかの少数）値をシグナリングすることによって簡略化されうる。
【００６２】
[0072]ＣＲＳ構成はまた、サブフレームタイプ依存でありうる。例えば、異なるＲＳ構成は、サブフレームタイプがマルチキャストブロードキャスト単一周波数ネットワーク（ＭＢＳＦＮ）または非ＭＢＳＦＮかどうかに依存して使用されうる。
【００６３】
[0073]サブフレームタイプを示すシグナリングが存在しない場合、同じサブフレームタイプは、サービングセルと同じように想定されうるが、制限的すぎる。代わりに、ＣｏＭＰ内におけるセルにわたる異なるサブフレームタイプは、許可されるべきである。
【００６４】
[0074]（例えば、全てのセルは、所与のサブフレーム内において同じサブフレームインデックスを有する）サブフレームに同期する動作および同じフレーム構造（例えば、ＴＤＤまたはＦＤＤ）を想定することによって、その後、サブフレームのある特定のサブセットは、セルにわたって同じタイプを有しうる。例えば、ＭＢＳＦＮがこれらのサブフレームを用いて構成されることができないため、ＦＤＤのためのサブフレーム０、４、５および９またはＴＤＤのためのサブフレーム０、１、５、および６のために、レガシキャリアタイプを有する全てのセルのためのサブフレームタイプは、同じ（例えば、非ＭＢＳＦＮ）である。他のサブフレームのために、サブフレームタイプはセルにわたって異なることができる。そのケースにおいて、これらの他の６つのサブフレームの各々のためにＭＢＳＦＮ対非ＭＢＳＦＮを示す１ビットである。これは、サブフレームがＭＢＳＦＮか否かを示すようビットマップを用いてシグナリングされうる。例えば、４０ビットのビットマップは、４０ｍｓ周期性ベースの構成を示すよう使用されうる。
【００６５】
[0075]いくつかのシステムにおいて、ＣｏＭＰ内におけるセル間の異なる周波数シフトは、サポートされるべきである。正確にいくつのシフトがサポートされ（例えば、シグナリングされ）るのかは、例えば、ＣＲＳポートの数に依存して決定されうる。ＰＤＳＣＨ ＲＥマッピングの観点から、どのＣＲＳアンテナポートが使用されるかは、それほど問題にはならず、むしろ、どのＲＥがＣＲＳによって占有されるかが問題となりうる。したがって、１つのＣＲＳポートのみ存在する場合、シフトは、６つの値を有し、２つ以上のＣＲＳポートが存在する場合、３つのシフト値のみが示されうる。１つのＣＲＳポートのシグナリングをサポートしないことを考慮することもまた可能でありうる（例えば、１つのＣＲＳポートのみ存在する場合でも、ＰＤＳＣＨ ＲＥマッピングの目的のために、１つのＣＲＳポートの代わりに２つのＣＲＳポートをシグナリングする）。最終的に、この決断は、シグナリングの複雑性およびＰＤＳＣＨリソースの効率性間におけるトレードオフを表す。
【００６６】
[0076]新しいキャリアタイプ（ＮＣＴ）のために、様々なパラメータは、ＣＲＳ構成（例えば、ＣＲＳポート、サブフレームインデックス、および／または周波数シフト）に影響しうる。ＣｏＭＰ内におけるセルの新しいキャリアタイプのために、異なるシグナリングスキームは、例えば、どのようにＣＲＳが送信されるかに依存して採用されうる。ＣＲＳがサブフレーム＃０および＃５内においてのみ、１つのポートのみとともに存在し、その帯域幅が固定される場合、周波数シフトのみ（例えば、６つの可能な値）が、シグナリングされうる。いくつかのケースにおいて、レートマッチング内においてＵＥを援助するために、ＵＥは、セルがレガシキャリアタイプ（ＬＣＴ）または新しいキャリアタイプ（ＮＣＴ）のものかどうか示されうる。
【００６７】
[0077]ＣＲＳのパラメータの明示的なシグナリングというよりむしろ、代替は、暗示的なシグナリングである。例えば、シフト、アンテナ、等、をシグナリングする代わりに、ＵＥは、代わりに物理セルアイデンティティ（ＰＣＩ）を介してシグナリングされることができる。このケースにおいて、ＵＥは、ＰＣＩに基づいて、対応するＣＲＳパラメータを導出しうる。
【００６８】
[0078]いくつかのケースにおいて、異なるセルは、異なる特別サブフレーム構成を有しうる。これは、例えば、動的ＴＤＤサブフレーム構成の特徴がＬＴＥ Ｒｅｌ−１２内においてサポートされる場合に特に当てはまりうる。ＵＥは、インジケーションとともに提供されうるか、またはＣｏＭＰに関与する各セルの特別サブフレーム構成をブラインド検出することができる。ジョイント送信（ＪＴ）のために、ＪＴ内における全てのセルが同じ数の利用可能なＲＥを有することを確実にすることが重要である。いくつかのケースにおいて、２つ以上のセルが異なるＤｗＰＴＳの長さを有する場合、ＪＴは、これらのセル間において許可されない場合がある（例えば、非ＪＴ ＣｏＭＰのみが許可される）。代替として、ＪＴが異なるＤｗＰＴＳの長さのセル間においてサポートされる場合、ＰＤＳＣＨは、ＪＴ ＣｏＭＰ内におけるセル間の共通リソースセット（例えば、最小ＤｗＰＴＳの長さ）に基づいてのみマッピングされる。代替として、同じＤｗＰＴＳの長さを有するセルのサブセットのみが、ＪＴ内に存在するとこができる。チャネル推定はまた、通常および特別なサブフレームのために異なって行われうる。
【００６９】
[0079]いくつかのシステム（例えば、ＬＴＥ Ｒｅｌ−１２）おいて、異なるセルは、異なるＴＤＤサブフレーム構成を有しうる。例えば、ＣｏＭＰ（例えば、ＪＴ、ＤＰＳ、ＣＢＳ、等）が異なるサブフレーム構成を有するセル間においてサポートされることができる使用ケースが存在しえ、ＤＬ ＣｏＭＰおよび／またはＵＬ ＣｏＭＰに関与するセルの数は、サブフレーム依存であることができる例えば、セル１内におけるＤＳＵＵＤＤＳＵＵＤ、およびセル２内におけるＤＳＵＤＤＤＳＵＤＤのＵＬ／ＤＬ構成を用いて、サブフレーム０、１、４、５、６、および９内において、セル１および２の両方は、ＤＬ ＣｏＭＰに関与しうる一方、サブフレーム３および８内において、セル２のみがＤＬ ＣｏＭＰに関与し、ＵＬ ＣｏＭＰのために、サブフレーム２および７内において、セル１および２の両方は、関与する一方、サブフレーム３および８内において、セル１のみが関与する。しかしながら、特定のＵＥのために、ＤＬまたはＵＬのいずれかを用いて動作することができうるが、両方ではない。
【００７０】
[0080]ＣｏＭＰ内におけるＵＥは、２つ以上のセルが異なるＤＬ／ＵＬ構成を有する場合にＤＬ、またはＵＬとして動作するか、または完全にサブフレームをスキップしえ、そのような動作は、様々な代替にしたがうことができる。第１の代替にしたがって、そのような動作は、（例えば、ｅＮＢスケジューリング決断に基づいて）動的に決定されうる。第２の代替にしたがって、そのような動作は、半静的に構成されうる（例えば、明示的なＲＲＣシグナリングを介して、またはいくつかのＲＲＣ構成と暗示的につながる、例えば、ＣＱＩがサブフレーム内において送信するよう構成される場合、ＵＬであり、そうでない場合は、ＤＬである）。
【００７１】
[0081]第３の代替にしたがって、そのような動作は、仕様内においてハードコード化されうる。例えば、ＣｏＭＰは、同じリンクタイプ（例えば、ＤＬまたはＵＬ）のサブフレーム内においてのみサポートされうる。上記と同じ例において、サブフレーム｛０、１、４、５、６、９｝のみは、ＤＬのためにサポートされ、サブフレーム｛２、７｝のみは、ＵＬのためである一方、サブフレーム｛３、８｝は、ＣｏＭＰ内におけるＵＥのために使用されない。
【００７２】
[0082]異なるＵＥが異なって動作し（例えば、ＤＬを有するいくつかのＵＥ、ＵＬを有するいくつかのＵＥ）、ＦＤＮがＵＥ間における相互干渉を最小限にするよう使用できることが可能だが、セルの観点からより遥かに単純になりうるのは、サブフレームがＤＬまたはＵＬのいずれかである場合である。
【００７３】
[0083]チャネル推定のためのフィルタリングが実装される場合、同じ数のＣｏＭＰセルのサブフレーム間においてのみ行われうる。サブフレームにわたる異なるプリコーディング動作に起因し、チャネル推定のためフィルタリングは典型的に、異なるサブフレームにわたって行われないことに留意されたい。しかしながら、同じプリコーディングが多数のサブフレームのために適用されるようにサブフレームドメインバンドリングが可能にされる場合、チャネル推定フィルタリングは、サブフレームを用いて遂行されうる。
【００７４】
[0084]いくつかのケースにおいて、レートマッチングは、特定のＣｏＭＰスキームに依存しうる。例えば、ＪＴのために、ＰＤＳＣＨは、ＣｏＭＰ内におけるセルのうちの２つ以上のもののＣＲＳ構成の組み合わされたＣＲＳパターンの周囲においてレートマッチングされうる。他の非ＪＴスキーム（例えば、ＤＰＳ）のために、ＰＤＳＣＨレートマッチングは、セル毎基準で行われうる。
【００７５】
[0085]特定のＵＥのために、ＣｏＭＰスキーム間（例えば、ＪＴおよびＤＰＳ間）における動的切り替えは、可能でありうる。様々な代替が存在しうる。例えば、第１の代替のために、ＵＥは、多数のＣＲＳ構成セットについて知らされ、任意のサブフレーム内におけるセットのうちの１つに基づいてレートマッチングを遂行しうる。この代替は、構成の異なるセットの相互作用を含むＵＥにおいて追加の処理を含みえない。構成セットそれ自体は、ＪＴ対非ＪＴ動作を取り扱いうる。
【００７６】
[0086]第２の代替のために、ＵＥは、多数のＣＲＳ構成セットについて知らされ、少なくともいくつかのサブフレーム内において、２つ以上のセットに基づいてレートマッチングを遂行しうる。この代替は、２つ以上のセットを組み合わせる方法に関する追加の処理をＵＥにおいて伴いうる。ＵＥはおそらく、追加の処理を遂行する時および／または方法について知らされうる。
【００７７】
[0087]非ゼロ電力（ＮＺＰ）ＣＳＩ−ＲＳおよび／またはゼロ電力（ＺＰ）ＣＳＩ−ＲＳのような、他の基準信号のレートマッチングはまた、上記の構成セットに関係しうる。これは、異なるＮＺＰ ＣＳＩ−ＲＳおよび／またはＺＰ ＣＳＩ−ＲＳ構成を有するよう、ＵＥが動的ポイント選択を遂行しうる送信ポイントを可能にする。このように、ＵＥのレートマッチングは、どのポイントがＵＥに対してＰＤＳＣＨ送信を遂行するかに依存して行われうる。所与のサブフレームにおいて、ＵＥは、そのサブフレームに適用可能なＮＺＰ ＣＳＩ−ＲＳおよび／またはＺＰ ＣＳＩ−ＲＳ構成を含む１つの構成セットをシグナリングされうる。
【００７８】
[0088]態様において、ＮＺＰおよびＺＰ ＣＳＩ−ＲＳリソースのレートマッチングは、異なって遂行されうる。ＮＺＰ ＣＳＩ−ＲＳリソースがチャネル測定のためのＵＥによって使用されるように、全ての構成されるＮＺＰ ＣＳＩ−ＲＳリソース（例えば、ＣｏＭＰ測定セット内において含まれる全ての構成されるＮＺＰ ＣＳＩ−ＲＳ）の周囲においてレートマッチングを遂行するのが望まれうる。これの１つの利益は、対応するレートマッチングを実施するよう重複するＺＰ ＣＳＩ−ＲＳリソースをネットワークが構成する必要がないことである。その上、ＮＺＰ ＣＳＩ−ＲＳが４つ未満のリソース要素を占有しうるため（例えば、ＺＰ ＣＳＩ−ＲＳリソースが４つのリソース要素の粒度を有するのに対して）、オーバヘッドに関していくつかの柔軟性のある利益が存在しうる。同様に、別に態様において、上述されたような全てのＮＺＰ ＣＳＩ−ＲＳリソースの周囲におけるレートマッチングの代わりに、ＵＥは、サービングセルに関連付けられたＮＺＰ ＣＳＩ−ＲＳリソースのような、ＮＺＰ ＣＳＩ−ＲＳリソースの固定されたサブセットの周囲においてレートマッチングしうる。
【００７９】
[0089]別の態様は、ＺＰ ＣＳＩ−ＲＳリソースのレートマッチングがＵＥのために半静的に構成されることができる１つまたは複数の干渉測定リソース（ＩＭＲ）とどのように関連するのかに関する。１つの態様において、１つのＵＥのために構成される全てのＩＭＲが任意の所与のサブフレーム内においてＺＰ ＣＳＩ−ＲＳリソースに関連付けられる（例えば、ＺＰ ＣＳＩ−ＲＳリソースによってカバーされる）ことを実施することが望まれうる。これは、対応するＲＥが、ＵＥに動的にシグナリングされるレートマッチングセットに関わらずＵＥによって干渉測定のために使用されることができることを確実にする。このシナリオにおいて、ネットワークは、所望される干渉条件を作成するよう恣意的な（例えば、非ＰＤＳＣＨ）信号を送信することによってＩＭＲリソース要素のために正確な干渉条件が作成されることを確実にしうる。
【００８０】
[0090]別の態様において、レートマッチングは、ＵＥに対して示された構成状態に関連付けられたＺＰ ＣＳＩ−ＲＳ構成に基づいて単独で遂行されうる。このケースにおいて、いくつかのサブフレームでは、いくつかのＩＭＲリソース要素は、レートマッチングされえず、それにより、ＵＥにＩＭＲ ＲＥ上において干渉としてそれ自身のＰＤＳＣＨ干渉をカウントするよう導く。干渉としてそれ自身のＰＤＳＣＨをカウントすることによって、ＵＥが不正確なプリコーディング想定の下において干渉測定を遂行しうるため、これは、正確性の観点から望ましくない。しかしながら、このスキームは、若干低減されたオーバヘッドの利益を有する。
【００８１】
[0091]いくつかのケースにおいて、レートマッチングは、サブフレーム依存でありうる。例えば、前述されたように、レートマッチングは、ＭＢＳＦＮ対非ＭＢＳＦＮサブフレームのために異なって行われることができる。例えば、ＣＲＳ構成の異なるセットは、ＭＢＳＦＮ対非ＭＢＳＦＮサブフレームのために定義されることができる。現在のサブフレームタイプ（例えば、ＭＢＳＦＮ対非ＭＢＳＦＮサブフレーム）に基づくＵＥは、ＰＤＳＣＨレートマッチングのためにどのセットを使用するかを決定する。
【００８２】
[0092]異なるＴＤＤ ＤＬ／ＵＬ構成の下におけるＣｏＭＰがサポートされる場合、ＰＤＳＣＨレートマッチングはさらに、ＣｏＭＰに関与するＵＬおよびＤＬサブフレームの組み合わせに依存しうる。例えば、全てのセルがＤＬサブフレームを有するサブフレームのために、ＣＲＳ構成の第１のセットを定義し、および／または、いくつかのセルがＤＬサブフレームを有し、他のセルがＵＬサブフレームを有するサブフレームのために、ＣＲＳ構成の第２のセットを定義する。ＣｏＭＰ内におけるセルのＤＬおよびＵＬサブフレームの現在の組み合わせに基づくＵＥは、ＰＤＳＣＨレートマッチングのためにどのセットを使用するかを決定する。
【００８３】
[0093]いくつかのケースにおいて、異なるレートマッチングは、異なるＲＢに基づいて遂行されうる。例えば、分散ＰＤＳＣＨリソースの割り振りを有するＣｏＭＰがサポートされる場合、レートマッチングはさらに、割り当てられたＰＤＳＣＨリソースの異なる一部上において異なって行われることができる。例えば、ＰＤＳＣＨを想定することによって、最初の２つはセル１から来て、他の２つはセル２から来る、４つのリソースブロックを割り当てられる。このケースにおいて、第１の２つのリソースブロックは、セル１のＣＲＳ構成に基づくレートマッチングを有しうる一方、第２の２つのリソースブロックはセル２のＣＲＳ構成に基づくレートマッチングを有しうる。別の例として、新しいキャリアタイプ内におけるＣＲＳの存在は、システム帯域幅の一部分に限定されうる。結果として、ＣＲＳを搬送するＲＢおよびＰＤＳＣＨのための割り当てられたリソースに依存することによって、レートマッチングは、異なって行われなければいけない場合がある。
【００８４】
[0094]ＰＲＧ（プリコーディングＲＢグループ）がサポートされる場合、同じレートマッチングは、同じＰＲＧのリソースブロック（ＲＢ）に適用されうることに留意されたい。
【００８５】
[0095]ＮＺＰおよび／またはＺＰ ＣＳＩ−ＲＳリソースの周囲におけるレートマッチングは、特有の送信ポイントに関連付けられたページング構成および／または他の構成に基づきうる。１つの態様において、ページング情報およびＰＳＳ／ＳＳＳ、ＰＢＣＨ、またはＳＩＢ１のような他のチャネルの送信は、ＮＺＰまたはＺＰ ＣＳＩ−ＲＳ送信に優先しうる。ＣｏＭＰがない場合において、ＵＥは、そのサービングセルの構成に基づいてページング情報に関連付けられた送信時間に気付きうる。しかしながら、ＣｏＭＰ内において、ＵＥは、送信時間がＣｏＭＰ動作に関与する送信ポイント間において潜在的に異なることができるため、そのサービングセルの構成からこれらのチャネルの送信時間を決定することができない場合がある。
【００８６】
[0096]いくつかのシステムにおいて、ＵＥがＣＳＩ−ＲＳ構成の一部としてそのようなページングに関連する構成パラメータをシグナリングすることによって、ページングに関連する構成パラメータについて知らされることができることが考慮されてきた。これは、（ＬＴＥ技術仕様（ＴＳ）ＴＳ３６．３３１、ＴＳ３６．３０４内において記述されるように）デフォルトのページングサイクルおよびパラメータ「ｎＢ」のようなパラメータを含み、ｎＢは、４Ｔ、２Ｔ、Ｔ、Ｔ／２、Ｔ／４、Ｔ／８、Ｔ／１６またはＴ／３２でありえ、Ｔは、ＵＥのＤＲＸサイクルである。Ｔは、上位レイヤ、およびシステム情報内におけるデフォルトのＤＲＸ値のブロードキャストによって割り振られる場合、最短のＵＥ特有のＤＲＸ値によって決定される。ＵＥ特有のＤＲＸが上位レイヤによって構成されない場合、デフォルト値は、適用される。前述されたように、そのような情報をＵＥにシグナリングする目的は、この想定と一致してレートマッチングを遂行するよう特有のＣＳＩ−ＲＳの実例がいつ欠落されるべきかに気付かせるためである。しかしながら、このシグナリングは、そのような情報を半静的にのみ提供するよう限定されうる。
【００８７】
[0097]態様において、ページングに関連する構成パラメータのシグナリングは、他のシステム内において異なって遂行されうる。そのようなパラメータをＮＺＰおよび／またはＺＰ ＣＳＩ−ＲＳ構成の一部として含む代わりに、前述された（例えば、レートマッチング構成状態が基づきうる）基準信号構成セットのうちの１つまたは複数に組み込まれうる。これは、ＣＳＩ−ＲＳおよびページングが一致するか否かの動的インジケーションを許可し、それは、そのような潜在的衝突についてＵＥに知らせるネットワークの柔軟性を改善するように有用である。
【００８８】
[0098]ページングに関連する構成パラメータを基準信号構成セットに組み込むことは、多くの方法で遂行されうる。
【００８９】
[0099]第１の態様において、サブフレームがページングサブフレームか否かをＵＥに明示的に知らせるフィールドは、用いられうる。このように、ネットワークは、例えば、ページング機会について、ＵＥに動的に知らせるよう少なくとも２つの構成セットを構成しうる（例えば、１つの状態がページングフィールドをｔｒｕｅに設定する一方、他のもう１つは、このフィールドをｆａｌｓｅに設定するだろう）。このケースにおいて、動的シグナリングは、基準信号構成セットが所与のサブフレーム内において想定されるべきＵＥに動的に知らせるネットワークの能力に基づいて可能にされる。
【００９０】
[0100]第２の態様において、ページング機会が様々な送信ポイントのためにいつ起こるかについてＵＥに知らせる１つまたは複数のフィールドは、用いられうる。デフォルトのページングサイクルおよび／またはパラメータ「ｎＢ」のようなページングに関連する構成パラメータは、例えば、特有のサブフレームが、これらのパラメータがサービングセルの一部として提供されたかのように同じ方法を使用するページング機会であるかどうかをどちらのＵＥが決定しうるかに基づいて、基準信号レートマッチング構成セットのうちの１つまたは複数に追加されうる。そのような態様において、レートマッチング基準信号構成は、特有の送信ポイントまたは送信ポイントのセットに関連付けられえ、これらのページングに関連するパラメータを追加することは、したがって、それらポイントのページング機会についてＵＥに知らせる。態様において、追加されるフィールドは、ネットワークが基準信号構成の一部として任意のページング情報を提供しない能力を有するように、オプションでありうる。これは、例えば、ネットワークがページング機会が決して起こらないとＵＥに想定してほしい場合、望まれうる。
【００９１】
[0101]上記のシグナリングの態様は、ページング機会が所与のサブフレーム内において想定されるべきかどうかについてシグナリング（例えば、動的シグナリング）を通してＵＥに知らせる。この情報を提供することに加えて、構成はまた、ページング機会によって影響されるようにどちらのＮＺＰ−および／またはＺＰ ＣＳＩ−ＲＳリソースが想定されるべきか指定しうる。ページング構成パラメータが送信ポイントにわたって異なり、各送信ポイントは、ＮＺＰおよび／またはＺＰ ＣＳＩ−ＲＳの別個の構成に関連付けられうるため、これは、有用である。１つの実施形態において、ＵＥは、ページング機会が（例えば、準共通ロケーション（quasi-co-location）の目的のために）構成セット内において指定されるＮＺＰ ＣＳＩ−ＲＳおよび／または基準信号構成内において指定されるＺＰ ＣＳＩ−ＲＳ構成に適用されることを想定しうる。本明細書で使用される場合、準共通に位置付けられた（quasi-co-located）は一般的に、（例えば、許容誤差内において）実質的に同じである１つまたは複数のロングタームチャネルプロパティ（例えば、遅延拡散、受信電力、周波数シフト、ドップラ拡散、および受信機のタイミング）を指す。態様において、２つのアンテナポートは、１つのアンテナポート上におけるシンボルが伝達されるチャネルの大規模なプロパティが他のもう１つのアンテナポート上におけるシンボルが伝達されるチャネルから推測されることができる場合に準共通に位置付けられる（quasi co-located）とされる。このように、追加のシグナリングは、どちらのＮＺＰおよび／またはＺＰ ＣＳＩ−ＲＳリソースがページングによって影響されるかを識別するよう必要とされない場合がある。別の実施形態において、しかしながら、そのようなシグナリングは、明示的に提供されうる。すなわち、追加のシグナリングは、ページング発生によって影響されると想定されるＮＺＰおよび／またはＺＰ ＣＳＩ−ＲＳリソースのセットを識別するよう構成セットに追加されうる。
【００９２】
[0102]上記のシグナリングの提案は、ＵＥに異なる送信ポイントに関連付けられたページング機会について知らせる。この情報に基づいて、ＵＥは、一致するページング発生に起因してＮＺＰおよび／またはＺＰ ＣＳＩ−ＲＳがいつ欠落しうるかを決定または推測することができ、欠落しない場合にのみＮＺＰ／ＺＰ ＣＳＩ−ＲＳの周囲においてレートマッチングを遂行しうる。別の態様において、ＵＥはまた、いつＮＺＰ ＣＳＩ−ＲＳ測定が行われるべきかを決定するようこの情報を使用しうる。例えば、ＮＺＰ ＣＳＩ−ＲＳが欠落する場合、ＵＥは、基準信号が実際に提示されない場合があるため、対応するＲＥ上において測定を行わない場合がある。
【００９３】
[0103]レートマッチングはまた、干渉除去（ＩＣ）能力に依存しうる。例えば、ＣｏＭＰ内におけるＵＥのためのＰＤＳＣＨレートマッチングは、ＵＥがＩＣ可能か否かに依存して異なって遂行されうる。例えば、ＩＣ可能なＵＥのために、ＰＤＳＣＨレートマッチングは、ＣｏＭＰ内における１つのセルのＣＲＳの周囲のみにおいて行われる一方、ＩＣ可能でないＵＥは、ＣｏＭＰ内における多数のセルのＣＲＳの周囲において行われうる。ＩＣ可能なＵＥであっても、異なるレートマッチングは、ＩＣが可能にされるか否かに依存して行われうる。例えば、ＩＣは、ＵＥがバッテリアウテージに近い場合に不可能にされ、そうである場合、ＰＤＳＣＨレートマッチングのためのＣＲＳ構成の異なるセットは、ＵＥのために定義されうる。
【００９４】
[0104]レートマッチングはまた、特定のチャネルおよび／またはチャネルパラメータに依存しうる。例えば、本明細書における様々な例がＰＤＳＣＨレートマッチングに焦点を当ててきた一方、同様の問題およびソリューションはまた、レガシＰＤＣＣＨ、または新しい「拡張」ＰＤＣＣＨ（ｅＰＤＣＣＨ）のような、他の制御チャネルに適用されうる。しかしながら、ＣｏＭＰ内におけるＵＥのためのＰＤＣＣＨ、ｅＰＤＣＣＨおよび／またはＰＤＳＣＨは、異なるレートマッチングスキームを有しうる。例えば、ＵＥは、ｅＰＤＣＣＨを用いて構成されえ、ＰＤＣＣＨは、共通検索スペース内に存在し、ｅＰＤＣＣＨは、ＵＥ特有の検索スペース内に存在する。この例において、次のレートマッチングは、採用されうる。ＵＥは、レートマッチングのためのＣＲＳ構成の２つのセットを用いて構成され、ＰＤＣＣＨレートマッチングは、（例えば、サービングセルＣＲＳに基づいた）非ＣｏＭＰと同じであり、ｅＰＤＣＣＨレートマッチングは、ＣＲＳ構成の第１のセットに基づき、および／またはＰＤＳＣＨは、ＰＤＳＣＨがどのようにスケジュールされるのか、および／またはそのタイプ（例えば、ユニキャストあるいはブロードキャスト）に依存して、非ＣｏＭＰおよび構成される２つのセットに基づきうる。
【００９５】
[0105]追加のｅＰＤＣＣＨ特有のレートマッチングの詳細はまた、提供されうる。例えば、一般的に、ｅＰＤＣＣＨのためのレートマッチングは、次の設計の代替を取りうる。第１の代替において、（例えば、サービングセルＣＲＳに基づいた）ｅＰＤＣＣＨのための新しいレートマッチング（ＲＭ）は存在しない場合がある。第２の代替のために、ｅＰＤＣＣＨ ＲＭは、ＣＲＳ構成の単一のセットに基づきうる。ＵＥは、ＰＤＳＣＨのために定義される１つのセット（例えば、ＰＤＳＣＨのために定義される第１のセット）および／または（例えば、ＰＤＳＣＨのために定義されるものから分離される）ｅＰＤＣＣＨのために具体的に構成されるセットを使用しうる。第３の代替のために、ｅＰＤＣＣＨ ＲＭは、ＣＲＳ構成の２つ以上のセットに基づきうる。そのようなケースにおいて、サブフレーム内において（または候補のために）使用すべきセットがブラインド複合の最大数を増大させないために定義されなければならない暗示的なリンケージ（例えば、サブフレームインデックス、復号候補、仮想セルＩＤ、等）は、存在しうる。
【００９６】
[0106]ｅＰＤＣＣＨレートマッチングはさらに、上述されたようにページングに関連する構成パラメータのシグナリングを再使用しうる。１つの態様において、ＰＤＳＣＨのために定義されるレートマッチング構成状態は、ｅＰＤＣＣＨのために再使用され、１つまたは複数のｅＰＤＣＣＨリソースセットに関連付けられうる。各ｅＰＤＣＣＨセットは、リソースの特有のセット（例えば、特有のＰＲＢペア）に対応し、ＰＤＳＣＨレートマッチング構成状態のうちの１つとリンクされうる。この例において、ＵＥは、したがって、ｅＰＤＣＣＨリソースセットに依存して異なるレートマッチングの想定を立てうる。これは、特に、ページングに関連する想定を含みうる。
【００９７】
[0107]加えて、または代替として、異なるｅＰＤＣＣＨ復号候補のためのＲＭは、異なりうる。例えば、候補が共通またはＵＥ特有の検索スペース内に存在するかどうかに依存し、候補がローカライズされるまたは分散される送信に基づくかどうかに依存し、および／またはアグリゲーションレベルに依存する。
【００９８】
[0108]拡張ＰＣＦＩＣＨおよび拡張物理ＨＡＲＱ（ハイブリッド自動再送要求）インジケータチャネル（ＰＨＩＣＨ）ＲＭはまた、サービングセルに基づきうる。何らかのＲＲＣ構成に基づくＲＭのような、様々な他の代替はまた、考慮されうる。
【００９９】
[0109]いくつかのケースにおいて、ＵＥ再構成の場合にフォールバック動作を提供することが望まれうる。例えば、レートマッチングパラメータの再構成に際し、ＵＥおよびｅＮＢ間におけるリンクを維持するために再構成に関係ない少なくとも１つのＰＤＳＣＨ ＲＥマッピングスキームが存在しうる。フォールバックＰＤＳＣＨ ＲＥマッピングは常に、サービングセルＣＲＳのみに基づくことができる。フォールバックＰＤＳＣＨ ＲＥマッピングは、制御チャネルタイプ（例えば、ＰＤＣＣＨ対ｅＰＤＣＣＨ）、共通検索スペース、特定のダウンリンク制御情報（ＤＣＩ）フォーマット（例えば、１Ａ）、特定のアグリゲーションレベル、特定の復号候補、またはそれらの組み合わせとリンクされることができる。例えば、共通検索スペースからＰＤＣＣＨを介してスケジュールされるＰＤＳＣＨのために、ＰＤＳＣＨレートマッチングは常に、サービングセルに基づきうる（例えば、非ＣｏＭＰ動作と同じ）。２つの検索スペースが重複する場合にＰＤＣＣＨが共通検索スペースまたはＵＥ特有の検索スペースからであるかどうかに関して曖昧性が存在し、そうである場合、ＵＥは、共通検索スペースからのＰＤＣＣＨが優先することを想定しうる。例えば、ＵＥは、ＰＤＳＣＨ動作が共通検索スペースからのＰＤＣＣＨのために定義されたものに基づくことを想定しうる。
【０１００】
[0110]代替として、フォールバック動作は、再構成に際し、少なくとも１つの変化しないセットが存在することを確実にすることによって達成されうる。このケースにおいて、同じセットインデックスが維持されることを確実にすることもまた望まれうる。例えば、ＵＥは、２つのセット（セット１およびセット２）を用いて構成されうる。シームレス動作を確実にするために、再構成は、｛１,２｝→｛１,２’｝（第２のセットは、再構成されるが、第１のセットは、変化しないままである）→｛１’,２’｝の流れをとることができる。
【０１０１】
[0111]本明細書に記述されるように、レートマッチングは、１つまたは複数のＲＳ構成に基づいて遂行されうる。例えば、ＵＥは、Ｎ ＲＳセットを用いて構成されうる。このケースにおいて、ＵＥは、（Ｎ＋１）ＰＤＳＣＨレートマッチングスキームに対処しうる。追加のものは、サービングセルＣＲＳに基づくフォールバック（例えば、非ＣｏＭＰ動作に基づくレートマッチング）に起因する。
【０１０２】
[0112]いくつかのケースにおいて、ＣＲＳ構成セットの数、Ｎ、は、複雑性および柔軟性間におけるトレードオフのバランスをとるよう設計されうる。第１の代替として、Ｎ≧２、使用されるセットは、仮想セルＩＤ（例えば、またはｎＳＣＩＤ）および潜在的なより多くのビットに基づきうる。例えば、Ｎ＝２であり、共通検索スペース内におけるＤＣＩフォーマット１Ａがレガシレートマッチングをトリガする場合、ＵＥ特有の検索内におけるＤＣＩフォーマット１Ａは、第１のセット構成に基づいてレートマッチングをトリガし、ＤＣＩフォーマット２Ｃは、ｎＳＣＩＤに依存して第１のセットまたは第２のセット構成のいずれかに基づいてレートマッチングをトリガする。
【０１０３】
[0113]別の代替において、Ｎ≧２である場合、使用されるものは、何らかの制御チャネルプロパティに部分的に基づく。例えば、ＰＤＣＣＨがスケジュールされる場合、１つのセットであり、ｅＰＤＣＣＨがスケジュールされない場合、別のセットであり、または検索スペース依存（例えば、共通対ＵＥ特有）、ローカライズ対分散ｅＰＤＣＣＨ、ＤＣＩフォーマット依存（例えば、パラメータの異なるセットをトリガする２Ｃ対１Ａ）、アグリゲーションレベル依存、復号候補依存、および／またはＵＥ能力依存（例えば、ＲＲＣ構成により、ＩＣ不可能対ＩＣ可能）である。
【０１０４】
[0114]別の代替として、Ｎ＝１である場合、ＵＥは依然として、（例えば、サービングセルＣＲＳに基づく）レガシおよび１つの構成されるセット間において切り替えうる。例えば、ＤＣＩフォーマット１Ａである場合、レガシセットであり、ＤＣＩフォーマット２Ｃである場合、構成されるセットである。
【０１０５】
[0115]依然として別の代替として、Ｎ≧２である場合、（例えば、サブフレームインデックスを有する）暗示的なリンケージが存在しうる、これらの代替の任意の組み合わせはまた、利用されうる。
【０１０６】
[0116]いくつかのケースにおいて、ダウンリンク送信の開始シンボルは、セル依存でありうる。例えば、ＣｏＭＰ内におけるＰＤＳＣＨのための開始シンボルは、シグナリングされるレイヤ３であることができる。異なるセルが（例えば、新しいキャリアタイプのためのゼロレガシ制御領域を含む）異なる制御領域サイズを有しうるため、ＣｏＭＰ内におけるＰＤＳＣＨのための開始シンボルインデックスは理想的に、セル依存でありうる。例えば、（例えば、同等に、ｎＳＣＩＤの値に依存して）使用される仮想セルＩＤに基づく。ｎＳＣＩＤ＝０である場合は、第１の開始シンボルであり、ｎＳＣＩＤ＝１である場合は、第２の開始シンボルである。しかしながら、ＪＴ ＣｏＭＰのために、ＣｏＭＰ内におけるセルのための開始シンボルは典型的に、同じであるべきである。
【０１０７】
[0117]いくつかのケースにおいて、ＵＥは、半静的にまたは動的に、ＰＤＳＣＨ開始ポイントを示されうる。例として、ケース１において、ＵＥは、ＪＴ ＣｏＭＰを主に目標として、単一の開始シンボルを用いて構成されることができ、ケース２において、ＵＥは、２つの開始シンボルインデックスを用いて構成され、ＤＰＳのような非ＪＴ ＣｏＭＰスキームのために特に有用である仮想セルＩＤに基づいてどちらを使用するかを決定し、ケース３において、ＵＥは、２つの開始シンボルインデックスを用いて構成され、さらにどちらを使用するかを別個に示され、ケース４において、ＵＥは、２つの開始シンボルインデックスを用いて構成され、さらにＣｏＭＰスキーム（例えば、ＪＴ対非ＪＴ）を示される。非ＪＴである場合、１つの使用は、仮想セルＩＤに基づきえ、ＪＴである場合、常に第１の開始シンボルインデックスを使用する。
【０１０８】
[0118]上述されたように、フォールバックのために、いくつかのＰＤＳＣＨ送信のための開始シンボルは常に、（例えば、サービングセルＰＣＦＩＣＨに基づく）非ＣｏＭＰケースにしたがいうる。例えば、ＰＤＳＣＨが共通検索スペースからの制御を介してスケジュールされる場合である。
【０１０９】
[0119]新しいキャリアタイプ（ＮＣＴ）のために、レガシ制御は存在しないが、しかしながら、ＰＤＳＣＨのために開始シンボルを指定する所望が依然として存在しうる。例えば、ＣｏＭＰは、レガシキャリアタイプ（ＬＣＴ）およびＮＣＴの両方のセル含みうる。結果として、２つ以上のＰＤＳＣＨ開始シンボルは、定義されうる。繰り返すが、フォールバックのために、いくつかのＰＤＳＣＨ送信のための開始ＰＤＳＣＨシンボルは、サービングセルに基づきうる。サービングセルがＮＣＴである場合、ＰＤＳＣＨは、第１のシンボルから開始しうる。
【０１１０】
[0120]いくつかのケースにおいて、開始ＰＤＳＣＨシンボルは、ＰＤＳＣＨがＰＤＣＣＨまたはｅＰＤＣＣＨを介してスケジュールされるかどうかに依存しうる。例として、ＰＤＳＣＨがＰＤＣＣＨによってスケジュールされる場合、開始ＰＤＳＣＨシンボルは、（ＰＣＦＩＣＨによって示される制御領域サイズの直後において開始シンボルとともに）ＰＣＦＩＣＨに基づいて決定されうる。ＰＤＳＣＨがｅＰＤＣＣＨによってスケジュールされる場合、開始ＰＤＳＣＨシンボルは、ＲＲＣ構成に基づいて決定されうる。ＵＥのためのＰＤＣＣＨまたはｅＰＤＣＣＨの存在は、サブフレーム依存でありうる。加えて、対応する制御チャネル（例えば、半永続的にスケジュールされるＰＤＳＣＨ）を有さないＰＤＳＣＨのために、開始シンボルインデックスは、ＰＣＦＩＣＨまたはＲＲＣ構成のいずれかに基づくことができる。
【０１１１】
[0121]決定はまた、サブフレーム依存であることができる。例えば、ＵＥがサブフレーム内においてｅＰＤＣＣＨをモニタするよう構成される場合、対応する制御チャネルを有さない開始ＰＤＳＣＨシンボルは、ＲＲＣ構成に基づいて決定されうる。ＵＥがサブフレーム内においてＰＤＣＣＨをモニタするよう構成される場合、対応する制御チャネルを有さない開始ＰＤＳＣＨシンボルは、ＰＣＦＩＣＨに基づいて決定されうる。
【０１１２】
[0122]別の例として、半永続的にスケジュールされる（ＳＰＳ）ＰＤＳＣＨがＰＤＣＣＨによって起動される場合、開始ＰＤＳＣＨシンボルインデックスは、ＰＣＦＩＣＨに基づきうる。ＳＰＳ ＰＤＳＣＨがｅＰＤＣＣＨによって起動される場合、開始ＰＤＳＣＨシンボルインデックスは、構成される場合、ＲＲＣ構成に基づくことができる。別の例として、ＳＰＳ ＰＤＳＣＨの開始ＰＤＳＣＨシンボルは常に、特にｅＰＤＣＣＨがＵＥのために構成される場合、ＲＲＣ構成に基づくことができる。また別の例として、ＵＥは、（例えば、ＰＤＣＣＨまたはｅＰＤＣＣＨのいずれかを介して）ＳＰＳ起動制御チャネル内において、起動される期間の間におけるＳＰＳ ＰＤＳＣＨの開始ＰＤＳＣＨ開始シンボルがＰＣＦＩＣＨまたはＲＲＣ構成に基づくべきかどうかのインジケーションを提供されうる。
【０１１３】
[0123]いくつかのケースにおいて、ＰＤＳＣＨレートマッチングおよびチャネル状態情報（ＣＳＩ）フィードバック間において依存性が存在しうる。ＰＤＳＣＨのために利用可能なリソース要素の数は、レートマッチングスキームに依存しうる。ＰＤＳＣＨレートマッチングが２つ以上のスキームを有するため、２つ以上の可能な数のＰＤＳＣＨのために利用可能なリソースが存在する。
【０１１４】
[0124]これは、理想的にＣＳＩフィードバックに影響を与えるだろう。ＣｏＭＰのために、ＵＥは、２つ以上のＣＳＩフィードバックを用いて構成されうる。したがって、ＣＳＩフィードバックをＰＤＳＣＨレートマッチングスキームとリンクすることが好まれうる。例えば、３つのＣＳＩフィードバック構成は、提供され、レガシＰＤＳＣＨ ＲＭにマッピングされるもの、ＰＤＳＣＨ ＲＭのためのＣＲＳ構成の第１のセットに基づいてＲＭにマッピングされるもの、およびＰＤＳＣＨ ＲＭのためのＣＲＳ構成の第２のセットに基づいてＲＭにマッピングされる別のもの、でありうる。
【０１１５】
[0125]いくつかのケースにおいて、そのようなリンケージは、ＵＥ（ｅＮＢの実装）に対して明白、またはＵＥに対して示されうる。例えば、異なるＣＳＩフィードバック構成は、ＣＲＳのためのＲＥディスカウントの数が異なるＣＳＩフィードバック構成のために異なって行われるように、異なるＲＭオプションとリンクされる。
【０１１６】
[0126]いくつかのケースにおいてＣｏＭＰ ＰＤＳＣＨレートマッチングは、キャリアアグリゲーションに順応しうる。例えば、ＵＥが２つ以上のキャリアを用いて構成される場合にＣｏＭＰ内におけるＰＤＳＣＨのためのレートマッチングがキャリア毎基準で行われうることが期待される。
【０１１７】
[0127]図８は、本開示のある特定の態様にしたがって、ＣｏＭＰ送信を処理するようユーザ機器（ＵＥ）によって遂行されうる動作８００の例を例示する。動作は、８０２において、ＵＥに対する多地点協調（ＣｏＭＰ）動作に参加する基地局のセットのための異なる基準信号（ＲＳ）構成を示すシグナリングを受信することによって開始され、各構成は、基準信号を送信するために基地局のうちの１つまたは複数による使用のためにリソースを識別する。８０４において、ＵＥは、サブフレーム内においてダウンリンク送信を受信する。８０６において、ＵＥは、ＲＳ構成のうちの１つまたは複数に基づいてダウンリンク送信のためのレートマッチングをどのように遂行するかを決定する。
【０１１８】
[0128]本明細書に提示される技法は、ＣｏＭＰ動作内におけるデータＲＥの効率的な使用を許可しうる。本明細書に提示される技法は、同じ電力クラスの基地局を利用するＣｏＭＰネットワーク（例えば、同種ネットワーク）または異なる電力クラスの基地局を利用するＣｏＭＰネットワーク（例えば、異種ネットワーク）、ならびにリレーおよび遠隔無線ヘッド（ＲＲＨ）を利用するネットワーク内において適用されうる。
【０１１９】
[0129]上述されたように、様々なメカニズムは、異なる開始シンボルインデックスを用いてＵＥを構成するよう提供され、ＵＥは、様々な要因に基づいて特定のＤＬ ＣｏＭＰ送信のためにどちらの開始インデックスを使用するかを決定しうる。例えば、ＵＥは、基地局、セルＩＤ、仮想セルＩＤ、ｎＳＣＩＤからのシグナリングに基づいた開始シンボルインデック、および／またはどのタイプの制御チャネルがＤＬ送信をスケジュールしたかを決定しうる。
【０１２０】
[0130]図９は、本開示のある特定の態様にしたがって、ＣｏＭＰ送信を処理するようユーザ機器（ＵＥ）によって遂行されうる動作９００の例を例示する。動作は、９０２において、多地点協調（ＣｏＭＰ）動作に参加する基地局のセットからダウンリンク送信のための１つまたは複数の開始シンボルインデックスの構成を示すシグナリングを受信することによって開始する。９０４において、ＵＥは、サブフレーム内においてダウンリンク送信を受信する。９０６において、ＵＥは、構成に基づいてダウンリンク送信のための開始シンボルインデックスを決定する。
【０１２１】
[0131]上述された方法の様々な動作は、対応する機能を遂行することができる任意の適した手段によって遂行されうる。手段は、回路、特定用途向け集積回路（ＡＳＩＣ）、またはプロセッサを含むがそれらに限定されるわけではない、様々なハードウェアおよび／またはソフトウェアコンポーネントおよび／またはモジュールを含みうる。一般的に、動作が図内において例示される場合、それらの動作は、そのような動作を遂行することができる、対応する対照のミーンズプラスファンクションコンポーネントを有しうる。
【０１２２】
[0132]本開示に関連して記述される様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネントあるいは本明細書で記述される機能を遂行するよう設計されたそれらの任意の組み合わせを用いて実装または遂行されうる。汎用プロセッサは、マイクロプロセッサでありうるが、代替において、プロセッサは、任意の市販のプロセッサ、制御器、マイクロ制御器、またはステートマシンでありうる。プロセッサはまた、計算デバイスの組み合わせ、例えば、ＤＳＰおよび１つのマイクロプロセッサ、複数のマイクロプロセッサ、ＤＳＰコアと併用される１つまたは複数のマイクロプロセッサの組み合わせ、または任意の他のそのような構成として実装されうる。
【０１２３】
[0133]本開示に関連して記述される方法またはアルゴリズムのステップは、直接的にハードウェアで、プロセッサによって実行されるソフトウェアモジュールで、または両者の組み合わせで、具現化されうる。ソフトウェアモジュールは、当該技術で知られる任意の形態の記憶媒体内において存在しうる。使用されうる記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ、等を含む。ソフトウェアモジュールは、単一の命令、または多くの命令を備え、いくつかの異なるコードセグメントにわたって、異なるプログラム間において、および多数の記憶媒体にわたって、分散されうる。記憶媒体は、プロセッサが記憶媒体から情報を読み取り、記憶媒体に情報を書き込むことができるように、プロセッサに結合されうる。代替において、記憶媒体は、プロセッサと一体化しうる。
【０１２４】
[0134]本明細書において開示される方法は、記述される方法を達成するための１つまたは複数のステップまたは動作を備える。方法のステップおよび／または動作は、本願の特許請求の範囲から逸脱することなく、互いに置き換えられうる。言い換えれば、ステップまたは動作の特有の順序が明記されない限り、特有のステップおよび／または動作の順序および／または使用は、本願の特許請求の範囲から逸脱することなく修正されうる。
【０１２５】
[0135]記述される機能は、ハードウェア、ソフトウェア、ファームウェア、またはそれらの任意の組み合わせにおいて実装されうる。ソフトウェアで実装される場合、機能は、コンピュータ可読媒体上において１つまたは複数の命令として記憶されうる。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは命令またはデータ構造の形で所望のプログラムコードを搬送または記憶するよう使用されることができ、コンピュータによってアクセスされることができる任意の他の媒体を備えることができる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、データを磁気的に再生するが、ディスク（disc）は、レーザーを用いて光学的にデータを再生する。
【０１２６】
[0136]したがって、ある特定の態様は、本明細書に提示される動作を遂行するためのコンピュータプログラム製品を備えうる。例えば、そのようなコンピュータプログラム製品は、命令を記憶（および／または符号化）したコンピュータ可読媒体を備え、命令は、本明細書で記述される動作を遂行するよう１つまたは複数のプロセッサによって実行可能である。ある特定の態様のために、コンピュータプログラム製品は、パッケージ材料を含みうる。
【０１２７】
[0137]ソフトウェアまたは命令はまた、送信媒体を通して送信されうる。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、マイクロ波のようなワイヤレス技術は、送信媒体の定義に含まれる。
【０１２８】
[0138]さらに、本明細書で記述された方法および技法を遂行するためのモジュールおよび／または他の適切な手段が、適宜、ユーザ端末および／または基地局によって、ダウンロードおよび／または他の方法で取得されることができることは認識されるべきである。例えば、そのようなデバイスは、本明細書で記述された方法を遂行するための手段の転送を容易にするようサーバに結合されることができる。代替として、本明細書で記述された様々な方法は、デバイスに記憶手段を結合または提供することによりユーザ端末および／または基地局が様々な方法を取得できるように、記憶手段（例えば、ＲＡＭ、ＲＯＭ、コンパクトディスク（ＣＤ）またはフロッピー（登録商法）ディスクのような物理記憶媒体、等）を介して提供されることができる。その上、本明細書で記述された方法および技法をデバイスに提供するための任意の他の適した技法は、利用されることができる。
【０１２９】
[0139]本明細書で使用される場合、項目のリスト「のうちの少なくとも１つ」を指す表現は、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図される。
【０１３０】
[0140]本願の特許請求の範囲が、上に例示されたまさにその構成およびコンポーネントに限定されないことは、理解されるべきである。様々な修正、変更、および変形は、本願の特許請求の範囲から逸脱することなく、上述された方法および装置の配置、動作、および詳細内において行われうる。
【０１３１】
[0141]前述の内容が本開示の態様に向けられる一方、本開示の他のおよびさらなる態様は、その基本的な範囲から逸脱することなく考案されえ、その範囲は、次の特許請求の範囲によって決定される。
以下に、出願当初の特許請求の範囲に記載された発明を付記する。
［Ｃ１］
ユーザ機器（ＵＥ）によるワイヤレス通信のための方法であって、
前記ユーザ機器（ＵＥ）に対する多地点協調（ＣｏＭＰ）動作に参加する基地局のセットのための異なる基準信号（ＲＳ）構成を示すシグナリングを受信することと、ここにおいて、各構成は、基準信号を送信する前記基地局のうちの１つまた複数による使用のためにリソースを識別する、
サブフレーム内においてダウンリンク送信を受信することと、
前記ＲＳ構成のうちの１つまたは複数に基づいて前記ダウンリンク送信のためのレートマッチングをどのように遂行するかを決定することと
を備える、方法。
［Ｃ２］
前記シグナリングは、ＲＳを送信するために使用される１つまたは複数のアンテナポートの数を示す、
［Ｃ１］に記載の方法。
［Ｃ３］
前記シグナリングは、サービング基地局のためのアンテナポートの数のみを示す、
［Ｃ２］に記載の方法。
［Ｃ４］
前記基地局のうちの少なくとも１つによって使用される前記アンテナポートの実際の数は、前記サービング基地局のための前記アンテナポートの数とは異なる、
［Ｃ３］に記載の方法。
［Ｃ５］
前記基地局のセットは、同じサブフレームインデックスで同期され、期間内において、サブフレームの第１のサブセットは、同じサブフレームタイプのものである、
［Ｃ１］に記載の方法。
［Ｃ６］
前記第１のサブセット内に存在せず、前記ダウンリンク送信が受信されるサブフレームのサブフレームタイプを示すシグナリングを受信することと、
前記示されるサブフレームタイプに基づいて選択されるＲＳ構成に基づいて前記レートマッチングを遂行することと
をさらに備える、
［Ｃ５］に記載の方法。
［Ｃ７］
前記サブフレームの第１のセットは、マルチキャストブロードキャスト単一周波数ネットワーク（ＭＢＳＦＮ）サブフレーム以外のタイプのサブフレームを備える、
［Ｃ６］に記載の方法。
［Ｃ８］
前記シグナリングは、１つまたは複数の周波数シフト値のインジケーションを備える、
［Ｃ１］に記載の方法。
［Ｃ９］
前記可能な周波数シフト値の数は、アンテナポートの対応する数に依存する、
［Ｃ８］に記載の方法。
［Ｃ１０］
前記基地局のうちの少なくとも１つは、限定された数のサブフレーム内において新しいキャリアタイプでＲＳを送信する、
［Ｃ１］に記載の方法。
［Ｃ１１］
基地局が新しいキャリアタイプを使用して送信するか否かのインジケーションを受信することをさらに備え、レートマッチングは、前記インジケーションに、少なくとも部分的に、依存する形で遂行される、
［Ｃ１０］に記載の方法。
［Ｃ１２］
前記シグナリングは、１つまたは複数の物理セル識別子（ＰＣＩ）を介して伝達され、前記方法は、前記ＰＣＩに基づいて前記ＲＳ構成を導出することをさらに備える、
［Ｃ１］に記載の方法。
［Ｃ１３］
前記セット内における前記基地局のうちの少なくともいくつかは、異なる特別なサブフレーム構成を有する、
［Ｃ１］に記載の方法。
［Ｃ１４］
シグナリングを受信することは、１つまたは複数の特別なサブフレーム構成のインジケーションを受信することを備える、
［Ｃ１３］に記載の方法。
［Ｃ１５］
ジョイント送信は、異なる特別なサブフレーム構成を有する基地局から許可されない、
［Ｃ１３］に記載の方法。
［Ｃ１６］
ジョイント送信は、共通リソースセットを使用して異なる特別なサブフレーム構成を有する基地局から許可される、
［Ｃ１３］に記載の方法。
［Ｃ１７］
ジョイント送信は、同じダウンリンクパイロットタイムスロット（ＤｗＰＴＳ）の長さを有する特別なサブフレーム構成を有する基地局からのみ許可される、
［Ｃ１３］に記載の方法。
［Ｃ１８］
前記セット内における異なる基地局は、異なるアップリンク／ダウンリンク（ＵＬ／ＤＬ）時分割複信（ＴＤＤ）サブフレーム構成をサポートし、
任意の所与のサブフレームのためにＣｏＭＰ動作に参加する前記基地局の数は、サブフレーム構成依存である、
［Ｃ１］に記載の方法。
［Ｃ１９］
所与のサブフレーム内において同じサブフレームアップリンクまたはダウンリンクタイプを有する基地局のみは、そのサブフレーム内においてＣｏＭＰ動作に参加する、
［Ｃ１８］に記載の方法。
［Ｃ２０］
同じ数の基地局がＣｏＭＰ動作に参加するサブフレーム間のみにおいてチャネル推定フィルタリングを遂行することをさらに備える、
［Ｃ１８］に記載の方法。
［Ｃ２１］
レートマッチングは、ＣｏＭＰスキームに、少なくとも部分的に、依存する形で遂行される、
［Ｃ１］に記載の方法。
［Ｃ２２］
ジョイント送信（ＪＴ）ＣｏＭＰスキームのために、レートマッチングは、前記ジョイント送信に関与する基地局のためにＲＳ構成の組み合わせに基づいて遂行される、
［Ｃ２１］に記載の方法。
［Ｃ２３］
非ＪＴ ＣｏＭＰスキームのために、レートマッチングは、個々のＲＳ構成に基づいて遂行される、
［Ｃ２１］に記載の方法。
［Ｃ２４］
前記シグナリングは、前記ＲＳ構成の数のインジケーションを備える、
［Ｃ１］に記載の方法。
［Ｃ２５］
所与のサブフレーム内において、前記レートマッチングは、前記ＲＳ構成のうちの単一のものに基づいて遂行される、
［Ｃ２４］に記載の方法。
［Ｃ２６］
所与のサブフレーム内において、前記レートマッチングは、ＲＳ構成の組み合わせに基づいて遂行される、
［Ｃ２４］に記載の方法。
［Ｃ２７］
前記セット内における異なる基地局は、異なるアップリンク／ダウンリンク（ＵＬ／ＤＬ）時分割複信（ＴＤＤ）サブフレーム構成をサポートし、
第１のＲＳ構成は、全ての基地局がＤＬサブフレームを有するサブフレームのために定義され、
第２のＲＳ構成は、いくつかの基地局がＤＬサブフレームを有し、いくつかの基地局がＵＬサブフレームを有するサブフレームのために定義され、
前記ＵＥは、前記ダウンリンク送信が受信される前記サブフレームのためのＤＬおよびＵＬサブフレームの現在の組み合わせに基づいて前記第１または第２のＲＳ構成を用いることによってレートマッチングを遂行する、
［Ｃ１］に記載の方法。
［Ｃ２８］
前記ダウンリンク送信の第１の部分は、第１の基地局から受信され、
前記ダウンリンク送信の第２の部分は、第２の基地局から受信され、
前記ダウンリンク送信の前記第１の部分のためのレートマッチングは、前記第１の基地局のためのＲＳ構成に基づいて遂行され、
前記ダウンリンク送信の前記第２の部分のためのレートマッチングは、前記第２の基地局のためのＲＳ構成に基づいて遂行される、
［Ｃ１］に記載の方法。
［Ｃ２９］
レートマッチングは、前記ＵＥが干渉除去（ＩＣ）可能か否かに依存する形で遂行される、
［Ｃ１］に記載の方法。
［Ｃ３０］
レートマッチングは、前記ＵＥがＩＣ可能な場合に単一の基地局ＲＳ構成に基づいて遂行され、
レートマッチングは、前記ＵＥがＩＣ可能でない場合に基地局ＲＳ構成の組み合わせに基づいて遂行される、
［Ｃ１］に記載の方法。
［Ｃ３１］
レートマッチングはさらに、ＩＣが前記ＵＥのために可能にされるか否かに依存する形で遂行される、
［Ｃ２９］に記載の方法。
［Ｃ３２］
レートマッチングは、前記ダウンリンク送信のチャネルタイプの１つまたは複数の特徴に依存する形で遂行される、
［Ｃ１］に記載の方法。
［Ｃ３３］
サービング基地局に対応する第１のＲＳ構成は、前記ダウンリンク送信が物理ダウンリンク制御チャネル（ＰＤＣＣＨ）を備える場合にレートマッチングのために使用される、
［Ｃ３２］に記載の方法。
［Ｃ３４］
第２のＲＳ構成は、前記ダウンリンク送信が物理ダウンリンク共有チャネル（ＰＤＳＣＨ）のために従来使用されるリソースを使用して送信される拡張物理ダウンリンク制御チャネル（ｅＰＤＣＣＨ）を備える場合にレートマッチングのために使用される、
［Ｃ３３］に記載の方法。
［Ｃ３５］
異なるＲＳ構成は、前記ダウンリンク送信がユニキャストまたは非ユニキャストかどうかに依存してレートマッチングのために使用されうる、
［Ｃ３３］に記載の方法。
［Ｃ３６］
異なるＲＳ構成は、前記ダウンリンク送信が物理ダウンリンク共有チャネル（ＰＤＳＣＨ）、またはＰＤＳＣＨのために従来使用されるリソースを使用して送信される拡張物理ダウンリンク制御チャネル（ｅＰＤＣＣＨ）を備えるかどうかに依存してレートマッチングのために使用されうる、
［Ｃ３３］に記載の方法。
［Ｃ３７］
前記ＲＳ構成のうちの少なくとも１つは、前記ＵＥの再構成の後で変化しないよう維持される、
［Ｃ１］に記載の方法。
［Ｃ３８］
前記ＵＥは、Ｎ個のＲＳ構成を用いて構成され、
レートマッチングのために使用される特定のＲＳ構成は、仮想セルＩＤに、少なくとも部分的に、基づいて決定される、
［Ｃ１］に記載の方法。
［Ｃ３９］
レートマッチングのために使用される前記特定のＲＳ構成はまた、ＤＣＩフォーマットに、少なくとも部分的に、基づいて決定される、
［Ｃ３８］に記載の方法。
［Ｃ４０］
前記ＵＥは、Ｎ個のＲＳ構成を用いて構成され、
レートマッチングのために使用される特定のＲＳ構成は、少なくとも部分的に、動的シグナリングに基づいて決定される、
［Ｃ１］に記載の方法。
［Ｃ４１］
前記特定のＲＳ構成は、明示的なビットの数に、少なくとも部分的に、基づいて決定される、
［Ｃ４０］に記載の方法。
［Ｃ４２］
前記特定のＲＳ構成は、サブフレームインデックスに、少なくとも部分的に、基づいて決定される、
［Ｃ４０］に記載の方法。
［Ｃ４３］
前記ダウンリンク送信の開始シンボルは、セル依存である、
［Ｃ１］に記載の方法。
［Ｃ４４］
前記ダウンリンク送信の前記開始シンボルは、仮想セルＩＤに依存する、
［Ｃ４３］に記載の方法。
［Ｃ４５］
前記ダウンリンク送信の開始シンボルは、少なくとも部分的に、ＣｏＭＰスキームに基づく、
［Ｃ１］に記載の方法。
［Ｃ４６］
前記ダウンリンク送信の開始シンボルは、前記ダウンリンク送信のために、少なくとも部分的に、使用されるキャリアタイプに基づく、
［Ｃ１］に記載の方法。
［Ｃ４７］
チャネル状態情報（ＣＳＩ）フィードバックを提供することをさらに備え、前記ＵＥは、レートマッチングのために使用される１つまたは複数のＲＳ構成に基づいて少なくとも２つのＣＳＩフィードバック構成を有する、
［Ｃ１］に記載の方法。
［Ｃ４８］
前記ダウンリンク送信の開始シンボルは、前記ダウンリンク送信に関連付けられた制御チャネルのタイプに、少なくとも部分的に、基づく、
［Ｃ１］に記載の方法。
［Ｃ４９］
前記ダウンリンク送信の開始シンボルは、ＲＳ構成状態に、少なくとも部分的に、基づく、
［Ｃ１］に記載の方法。
［Ｃ５０］
前記特定のＲＳ構成は、少なくとも部分的に、明示的なビットの数に基づいて決定される、［Ｃ４９］に記載の方法。
［Ｃ５１］
前記特定のＲＳ構成は、少なくとも部分的に、前記ダウンリンク送信に関連付けられた制御チャネルのタイプに基づいて決定される、［Ｃ４９］に記載の方法。
［Ｃ５２］
前記特定のＲＳ構成は、サブフレームインデックスに、少なくとも部分的に、基づいて決定される、
［Ｃ４９］に記載の方法。
［Ｃ５３］
前記ダウンリンク送信は、対応する制御チャネルを有さず、
前記ダウンリンク送信の開始シンボルは、無線リソース制御（ＲＲＣ）または物理制御フォーマットインジケータチャネル（ＰＣＦＩＣＨ）構成に、少なくとも部分的に、基づく、［Ｃ１］に記載の方法。
［Ｃ５４］
前記ダウンリンク送信は、半永続的にスケジュールされる、
［Ｃ５３］に記載の方法。
［Ｃ５５］
前記ダウンリンク送信は、半永続的にスケジュールされるチャネル上に存在し、前記ダウンリンク送信の前記開始シンボルは、前記半永続的にスケジュールされるチャネルを起動する制御チャネルにさらに基づく、
［Ｃ５４］に記載の方法。
［Ｃ５６］
前記ダウンリンク送信は、半永続的にスケジュールされるチャネル上に存在し、前記ダウンリンク送信の開始シンボルは、前記半永続的にスケジュールされるチャネルを起動する制御チャネル上において示される、
［Ｃ５４］に記載の方法。
［Ｃ５７］
前記ダウンリンク送信の前記開始シンボルは、前記ＵＥがモニタするよう構成される制御チャネルにさらに基づく、
［Ｃ１］に記載の方法。
［Ｃ５８］
前記ＲＳ構成は、非ゼロ電力（ＮＺＰ）ＣＳＩ−ＲＳ構成またはゼロ電力（ＺＰ）ＣＳＩ−ＲＳ構成のうちの少なくとも１つを含む、
［Ｃ１］に記載の方法。
［Ｃ５９］
前記決定することは、ＮＺＰ ＣＳＩ−ＲＳまたはＺＰ ＣＳＩ−ＲＳリソースの固定されたサブセットの周囲におけるレートマッチングを含む、
［Ｃ５８］に記載の方法。
［Ｃ６０］
干渉測定リソース（ＩＭＲ）構成は、ＺＰ ＣＳＩ−ＲＳ構成に関連付けられる、
［Ｃ５８］に記載の方法。
［Ｃ６１］
前記ＲＳ構成のうちの前記１つまたは複数に基づいて前記サブフレーム内における１つまたは複数のリソースの準共通ロケーション（quasi-co-location）を決定することをさらに備える、
［Ｃ１］に記載の方法。
［Ｃ６２］
ＲＳ構成が前記決定された準共通ロケーション（quasi-co-location）に基づいて１つまたは複数のページングに関連する構成パラメータを共有することを想定することをさらに備える、
［Ｃ６１］に記載の方法。
［Ｃ６３］
ユーザ機器（ＵＥ）によるワイヤレス通信のための方法であって、
多地点協調（ＣｏＭＰ）動作に参加する基地局のセットからダウンリンク送信のための１つまたは複数の開始シンボルインデックスの構成を示すシグナリングを受信することと、
サブフレーム内においてダウンリンク送信を受信することと、
前記構成に基づいて前記ダウンリンク送信のための開始シンボルインデックスを決定することと
を備える、方法。
［Ｃ６４］
前記決定することは、セルＩＤに、少なくとも部分的に、基づいて前記ダウンリンク送信の開始シンボルを決定することを備える、
［Ｃ６３］に記載の方法。
［Ｃ６５］
前記決定することは、仮想セルＩＤに、少なくとも部分的に、基づいて前記ダウンリンク送信の開始シンボルを決定することを備える、
［Ｃ６４］に記載の方法。
［Ｃ６６］
前記決定することは、ＣｏＭＰスキームに、少なくとも部分的に、基づいて前記ダウンリンク送信の開始シンボルを決定することを備える、
［Ｃ６４］に記載の方法。
［Ｃ６７］
前記決定することは、前記ダウンリンク送信のために使用されるキャリアタイプに、少なくとも部分的に、基づいて前記ダウンリンク送信の開始シンボルを決定することを備える、
［Ｃ６４］に記載の方法。
［Ｃ６８］
前記決定することは、前記ダウンリンク送信に関連付けられた制御チャネルのタイプに、少なくとも部分的に、基づいて前記ダウンリンク送信の開始シンボルを決定することを備える、
［Ｃ６４］に記載の方法。
［Ｃ６９］
前記ダウンリンク送信は、対応する制御チャネルを有さず、
前記決定することは、無線リソース制御（ＲＲＣ）または物理制御フォーマットインジケータチャネル（ＰＣＦＩＣＨ）構成に、少なくとも部分的に、基づいて前記ダウンリンク送信の開始シンボルを決定することを備える、
［Ｃ６４］に記載の方法。
［Ｃ７０］
前記ダウンリンク送信は、半永続的にスケジュールされる、
［Ｃ６４］に記載の方法。
［Ｃ７１］
前記ダウンリンク送信は、半永続的にスケジュールされるチャネル上に存在し、前記ダウンリンク送信の前記開始シンボルは、前記半永続的にスケジュールされるチャネルを起動する制御チャネルに、少なくとも部分的に、基づく、
［Ｃ７０］に記載の方法。
［Ｃ７２］
前記ダウンリンク送信は、半永続的にスケジュールされるチャネル上に存在し、前記ダウンリンク送信の開始シンボルは、前記半永続的にスケジュールされるチャネルを起動する制御チャネル上において示される、
［Ｃ７０］に記載の方法。
［Ｃ７３］
前記決定することは、前記ＵＥがモニタするよう構成される制御チャネルに、少なくとも部分的に、基づいて前記ダウンリンク送信の開始シンボルを決定することを備える、
［Ｃ６４］に記載の方法。
［Ｃ７４］
ユーザ機器（ＵＥ）によるワイヤレス通信のための装置であって、
前記ユーザ機器（ＵＥ）に対する多地点協調（ＣｏＭＰ）動作に参加する基地局のセットのための異なる基準信号（ＲＳ）構成を示すシグナリングを受信するための手段と、ここにおいて、各構成は、基準信号を送信するために前記基地局のうちの１つまたは複数による使用のためにリソースを識別する、
サブフレーム内においてダウンリンク送信を受信するための手段と、
前記ＲＳ構成のうちの１つまたは複数に基づいて前記ダウンリンク送信のためのレートマッチングをどのように遂行するかを決定するための手段と
を備える、装置。
［Ｃ７５］
前記ＲＳ構成は、非ゼロ電力（ＮＺＰ）ＣＳＩ−ＲＳ構成またはゼロ電力（ＺＰ）ＣＳＩ−ＲＳ構成のうちの少なくとも１つを含む、
［Ｃ７４］に記載の装置。
［Ｃ７６］
前記決定するための手段は、ＮＺＰ ＣＳＩ−ＲＳまたはＺＰ ＣＳＩ−ＲＳリソースの固定されたサブセットの周囲におけるレートマッチングのための手段を含む、
［Ｃ７４］に記載の装置。
［Ｃ７７］
ユーザ機器（ＵＥ）によるワイヤレス通信のための装置であって、
多地点協調（ＣｏＭＰ）動作に参加する基地局のセットからダウンリンク送信のための１つまたは複数の開始シンボルインデックスの構成を示すシグナリングを受信するための手段と、
サブフレーム内においてダウンリンク送信を受信するための手段と、
前記構成に基づいて前記ダウンリンク送信のための開始シンボルインデックスを決定するための手段と
を備える、装置。
［Ｃ７８］
前記決定するための手段は、セルＩＤに、少なくとも部分的に、基づいて前記ダウンリンク送信の開始シンボルを決定するための手段を備える、
［Ｃ７７］に記載の装置。
［Ｃ７９］
ユーザ機器（ＵＥ）によるワイヤレス通信のための装置であって、
前記ユーザ機器（ＵＥ）に対する多地点協調（ＣｏＭＰ）動作に参加する基地局のセットのための異なる基準信号（ＲＳ）構成を示すシグナリングを受信することと、ここにおいて、各構成は、基準信号を送信するために前記基地局のうちの１つまたは複数による使用のためにリソースを識別する、サブフレーム内においてダウンリンク送信を受信することとを行うよう構成される受信機と、
前記ＲＳ構成のうちの１つまたは複数に基づいて前記ダウンリンク送信のためのレートマッチングをどのように遂行するかを決定するよう構成されるプロセッサと
を備える、装置。
［Ｃ８０］
前記ＲＳ構成は、非ゼロ電力（ＮＺＰ）ＣＳＩ−ＲＳ構成またはゼロ電力（ＺＰ）ＣＳＩ−ＲＳ構成のうちの少なくとも１つを含む、
［Ｃ７９］に記載の装置。
［Ｃ８１］
前記処理システムは、ＮＺＰ ＣＳＩ−ＲＳまたはＺＰ ＣＳＩ−ＲＳリソースの固定されたサブセットの周囲においてレートマッチングを行うよう構成される、
［Ｃ７９］に記載の装置。
［Ｃ８２］
ユーザ機器（ＵＥ）によるワイヤレス通信のための装置であって、
多地点協調（ＣｏＭＰ）動作に参加する基地局のセットからダウンリンク送信のための１つまたは複数の開始シンボルインデックスの構成を示すシグナリングを受信することと、サブフレーム内においてダウンリンク送信を受信することとを行うよう構成される受信機と、
前記構成に基づいて前記ダウンリンク送信のための開始シンボルインデックスを決定するよう構成されるプロセッサと
を備える、装置。
［Ｃ８３］
前記プロセッサは、セルＩＤに、少なくとも部分的に、基づいて前記ダウンリンク送信の開始シンボルを決定するよう構成される、
［Ｃ８２］に記載の装置。
［Ｃ８４］
ユーザ機器（ＵＥ）によるワイヤレス通信のためのプログラム製品であって、
前記ユーザ機器（ＵＥ）に対する多地点協調（ＣｏＭＰ）動作に参加する基地局のセットのための異なる基準信号（ＲＳ）構成を示すシグナリングを受信することと、ここにおいて、各構成は、基準信号を送信するために前記基地局のうちの１つまたは複数による使用のためにリソースを識別する、
サブフレーム内においてダウンリンク送信を受信することと、
前記ＲＳ構成のうちの１つまたは複数に基づいて前記ダウンリンク送信のためのレートマッチングをどのように遂行するかを決定することと
のために命令を記憶したコンピュータ可読媒体を備える、プログラム製品。
［Ｃ８５］
前記ＲＳ構成は、非ゼロ電力（ＮＺＰ）ＣＳＩ−ＲＳ構成またはゼロ電力（ＺＰ）ＣＳＩ−ＲＳ構成のうちの少なくとも１つを含む、
［Ｃ８４］に記載のプログラム製品。
［Ｃ８６］
前記決定することは、ＮＺＰ ＣＳＩ−ＲＳまたはＺＰ ＣＳＩ−ＲＳリソースの固定されたサブセットの周囲におけるレートマッチングを含む、
［Ｃ８４］に記載のプログラム製品。
［Ｃ８７］
ユーザ機器（ＵＥ）によるワイヤレス通信のためのプログラム製品であって、
多地点協調（ＣｏＭＰ）動作に参加する基地局のセットからダウンリンク送信のための１つまたは複数の開始シンボルインデックスの構成を示すシグナリングを受信することと、
サブフレーム内においてダウンリンク送信を受信することと、
前記構成に基づいて前記ダウンリンク送信のための開始シンボルインデックスを決定することと
のために命令を記憶したコンピュータ可読媒体を備える、プログラム製品。
［Ｃ８８］
前記決定することは、セルＩＤに、少なくとも部分的に、基づいて前記ダウンリンク送信の開始シンボルを決定することを備える、
［Ｃ８７］に記載のプログラム製品。
【図１】
0006336978.tif 000002
【図２】
0006336978.tif 000003
【図３】
0006336978.tif 000004
【図４】
0006336978.tif 000005
【図５】
0006336978.tif 000006
【図６】
0006336978.tif 000007
【図７】
0006336978.tif 000008
【図８】
0006336978.tif 000009
【図９】
0006336978.tif 000010